(57)【要約】      （修正有）【課題】ワイドエリアネットワークベースの車両間シグナリング方法を提供する。【解決手段】ワイヤレス通信システム２００において、車両２３５の位置する第１のセル２１５−ａに対応する第１の基地局２０５は、車両からロケーション情報を受信し、ロケーション情報に少なくとも部分的に基づいて、車両に関連するロケーションメッセージをブロードキャストすべき他の複数のセル２１５−ｅ、２１５−ｆを識別する。第１の基地局は、ロケーションメッセージのブロードキャストに関して、複数のセル２１５−ｅ、２１５−ｆに対応する、第２の基地局２０５−ａ、２０５−ｂと通信する。車両は、ロケーション情報及びロケーションメッセージ情報を第１の基地局に送信し、第１の基地局及び第２の基地局２０５−ａ、２０５−ｂはそれぞれ車両に関連するセル２１５−ａ、２１５−ｅ、２１５−ｆにロケーションメッセージをブロードキャストする。【選択図】図２
2020010351.tif 000002
【特許請求の範囲】
【請求項１】
第１のセルに関連する第１の基地局におけるワイヤレス通信のための方法であって、  車両からロケーション情報を受信することと、
前記ロケーション情報に少なくとも部分的に基づいて、前記車両に関連するロケーションメッセージをブロードキャストすべき複数のセルを識別することと、前記複数のセルが第２の基地局のセルを含み、ここにおいて、前記ロケーションメッセージが前記ロケーション情報に少なくとも部分的に基づく、
前記ロケーションメッセージの前記ブロードキャストに関して、少なくとも前記第２の基地局と通信することと
を備える、方法。
【請求項２】
前記ロケーション情報がアクセス層（ＡＳ）レイヤ上で前記車両から受信される、請求項１に記載の方法。
【請求項３】
前記ロケーションメッセージのためのターゲットブロードキャスト範囲を識別することをさらに備え、
ここにおいて、前記複数のセルが、前記ターゲットブロードキャスト範囲に少なくとも部分的に基づいてさらに識別される、
請求項１に記載の方法。
【請求項４】
前記ターゲットブロードキャスト範囲が、前記ロケーションメッセージのタイプ、または前記車両のタイプ、または前記車両から前記ターゲットブロードキャスト範囲を受信すること、またはそれらの組合せに少なくとも部分的に基づいて識別される、請求項３に記載の方法。
【請求項５】
前記第１のセルに隣接する１つまたは複数のセルのロケーションおよびカバレージエリアを識別すること
をさらに備え、
ここにおいて、前記複数のセルが、前記第１のセルに隣接する前記１つまたは複数のセルのうちの少なくとも１つの前記ロケーションおよびカバレージエリアに少なくとも部分的に基づいてさらに識別される、
請求項１に記載の方法。
【請求項６】
前記車両から、前記ロケーションメッセージのコンテンツ、または前記ロケーションメッセージのタイプ、またはそれらの組合せのうちの少なくとも１つを備える、ロケーションメッセージ情報を受信すること
をさらに備える、請求項１に記載の方法。
【請求項７】
前記車両から前記ロケーションメッセージ情報を受信した後に、所定の数の時間単位の間、前記ロケーションメッセージをブロードキャストすることを控えること
をさらに備える、請求項６に記載の方法。
【請求項８】
少なくとも前記第２の基地局と通信することが、
少なくとも前記第２の基地局に、前記ロケーションメッセージのコンテンツ、または前記ロケーションメッセージのタイプ、または前記ロケーション情報、または前記複数のセルの指示、またはそれらの組合せを送信すること
を備える、請求項１に記載の方法。
【請求項９】
前記ロケーションメッセージが前記複数のセルの各セルからブロードキャストされるのと同じ時間に、単一周波数ネットワーク上で前記ロケーションメッセージをブロードキャストすべき少なくとも１つのサブフレームのセットを識別すること
をさらに備える、請求項１に記載の方法。
【請求項１０】
少なくとも１つのサブフレームの前記セットを識別することが、
前記ロケーション情報に関連する地理的エリアを識別することと、
前記地理的エリアを使用して、少なくとも１つのサブフレームのセットに対する地理的エリアのマッピングをインデックス付けすることと
を備える、請求項９に記載の方法。
【請求項１１】
システム情報ブロック（ＳＩＢ）、または専用無線リソース制御（ＲＲＣ）シグナリング、またはそれらの組合せのうちの少なくとも１つ中で、少なくとも１つのサブフレームのセットに対する地理的エリアの前記マッピングをブロードキャストすること
をさらに備える、請求項１０に記載の方法。
【請求項１２】
前記複数のセルの各セルに知られているメッセージ順序に従って、前記地理的エリア中にある複数の車両に関係する複数のロケーションメッセージをブロードキャストすることをさらに備える、請求項１０に記載の方法。
【請求項１３】
前記メッセージ順序は、前記地理的エリア内の車両ロケーションの順序付け、前記複数のロケーションメッセージのロケーションメッセージが送信のためにキューイングされる時間順序、前記ロケーションメッセージが前記複数の車両から受信される時間順序、またはそれらの組合せに少なくとも部分的に基づく、請求項１２に記載の方法。
【請求項１４】
前記少なくとも１つのサブフレーム中のサブフレームの物理ダウンリンク制御チャネル（ＰＤＣＣＨ）上で前記ロケーションメッセージのためのスケジューリング情報を送信すること、前記スケジューリング情報が、ロケーションメッセージを車両にブロードキャストするために予約されたセル無線ネットワーク一時識別子（Ｃ−ＲＮＴＩ）に関連する、をさらに備える、請求項９に記載の方法。
【請求項１５】
前記サブフレームの前記ＰＤＣＣＨ上で少なくとも１つの非車両データ送信のためのスケジューリング情報を送信すること
をさらに備える、請求項１４に記載の方法。
【請求項１６】
前記ロケーション情報に関連する地理的エリアを識別することと、
前記地理的エリアを使用して、セル無線ネットワーク一時識別子（Ｃ−ＲＮＴＩ）に対する地理的エリアのマッピングをインデックス付けすることと、
サブフレームの物理ダウンリンク制御チャネル（ＰＤＣＣＨ）上で前記ロケーションメッセージのためのスケジューリング情報を送信することと、前記スケジューリング情報が、前記地理的エリアにマッピングされたＣ−ＲＮＴＩに関連する、
をさらに備える、請求項１に記載の方法。
【請求項１７】
システム情報ブロック（ＳＩＢ）、または専用無線リソース制御（ＲＲＣ）シグナリング、またはそれらの組合せのうちの少なくとも１つ中で、Ｃ−ＲＮＴＩに対する地理的エリアの前記マッピングをブロードキャストすること
をさらに備える、請求項１６に記載の方法。
【請求項１８】
車両におけるワイヤレス通信のための方法であって、
アクセス層（ＡＳ）レイヤ上で前記車両から基地局にロケーション情報を送信することと、
前記基地局にロケーションメッセージ情報を送信することと
を備える、方法。
【請求項１９】
前記ロケーションメッセージ情報が、ロケーションメッセージのコンテンツ、または前記ロケーションメッセージのタイプ、またはそれらの組合せのうちの少なくとも１つを備える、請求項１８に記載の方法。
【請求項２０】
前記基地局にロケーションメッセージのためのターゲットブロードキャスト範囲を送信すること
をさらに備える、請求項１８に記載の方法。
【請求項２１】
前記ロケーション情報と前記ロケーションメッセージ情報とが同じサブフレーム中で送信される、請求項１８に記載の方法。
【請求項２２】
システム情報ブロック（ＳＩＢ）、または専用無線リソース制御（ＲＲＣ）シグナリング、またはそれらの組合せのうちの少なくとも１つ中で、少なくとも１つのサブフレームのセットに対する地理的エリアのマッピングを受信することと、
前記車両のロケーションに関連する地理的エリアを識別することと、
前記地理的エリアにマッピングされた少なくとも１つのサブフレームのセット中で送信を監視することと
をさらに備える、請求項１８に記載の方法。
【請求項２３】
システム情報ブロック（ＳＩＢ）、または専用無線リソース制御（ＲＲＣ）シグナリング、またはそれらの組合せのうちの少なくとも１つ中で、セル無線ネットワーク一時識別子（Ｃ−ＲＮＴＩ）に対する地理的エリアのマッピングを受信することと、
前記車両のロケーションに関連する地理的エリアを識別することと、
前記地理的エリアにマッピングされた少なくとも１つのＣ−ＲＮＴＩに関連する送信を監視することと
をさらに備える、請求項１８に記載の方法。
【請求項２４】
第１のセルに関連する第１の基地局におけるワイヤレス通信のための装置であって、  車両からロケーション情報を受信するための手段と、
前記ロケーション情報に少なくとも部分的に基づいて、前記車両に関連するロケーションメッセージをブロードキャストすべき複数のセルを識別するための手段と、前記複数のセルが第２の基地局のセルを含み、ここにおいて、前記ロケーションメッセージが前記ロケーション情報に少なくとも部分的に基づく、
前記ロケーションメッセージの前記ブロードキャストに関して、少なくとも前記第２の基地局と通信するための手段と
を備える、装置。
【請求項２５】
前記ロケーション情報がアクセス層（ＡＳ）レイヤ上で前記車両から受信される、請求項２４に記載の装置。
【請求項２６】
前記ロケーションメッセージのためのターゲットブロードキャスト範囲を識別するための手段
をさらに備え、
ここにおいて、前記複数のセルが、前記ターゲットブロードキャスト範囲に少なくとも部分的に基づいてさらに識別される、
請求項２４に記載の装置。
【請求項２７】
前記ターゲットブロードキャスト範囲が、前記ロケーションメッセージのタイプ、または前記車両のタイプ、または前記車両から前記ターゲットブロードキャスト範囲を受信すること、またはそれらの組合せに少なくとも部分的に基づいて識別される、請求項２６に記載の装置。
【請求項２８】
前記第１のセルに隣接する１つまたは複数のセルのロケーションおよびカバレージエリアを識別するための手段
をさらに備え、
ここにおいて、前記複数のセルが、前記第１のセルに隣接する前記１つまたは複数のセルのうちの少なくとも１つの前記ロケーションおよびカバレージエリアに少なくとも部分的に基づいてさらに識別される、
請求項２４に記載の装置。
【請求項２９】
前記車両から、前記ロケーションメッセージのコンテンツ、または前記ロケーションメッセージのタイプ、またはそれらの組合せのうちの少なくとも１つを備える、ロケーションメッセージ情報を受信するための手段
をさらに備える、請求項２４に記載の装置。
【請求項３０】
車両におけるワイヤレス通信のための装置であって、
アクセス層（ＡＳ）レイヤ上で前記車両から基地局にロケーション情報を送信するための手段と、
前記基地局にロケーションメッセージ情報を送信するための手段と
を備える、装置。
【発明の詳細な説明】
【技術分野】
【０００１】
相互参照
[0001]本特許出願は、各々が本出願の譲受人に譲渡された、２０１６年９月２２日に出願された、「Techniques for Wide Area Network Based Vehicle-to-Vehicle Signaling」と題する、Ｐａｔｉｌらによる米国特許出願第１５／２７３，４５２号、および２０１５年１０月３０日に出願された、「Techniques for Wide Area Network Based Vehicle-to-Vehicle Signaling」と題する、Ｐａｔｉｌらによる米国仮特許出願第６２／２４９，１７７号の優先権を主張する。
【０００２】
[0002]本開示は、たとえば、ワイヤレス通信システムに関し、より詳細には、ワイドエリアネットワーク（ＷＡＮ）ベース車両間（Ｖ２Ｖ）シグナリングのための技法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]ＵＥは、ロングタームエボリューション（ＬＴＥ（登録商標））またはＬＴＥアドバンスト（ＬＴＥ−Ａ）ワイヤレス通信デバイスなどのワイヤレス通信デバイスを装備した車両の形態をとり得る。そのような車両は、ダウンリンクチャネルまたはアップリンクチャネル上で基地局と通信し得る。いくつかの例では、ＬＴＥ／ＬＴＥ−Ａネットワーク（または他のネットワーク）に接続された車両は、ＷＡＮベースＶ２Ｖ通信に関与し（engage in）得る。たとえば、車両が、１つまたは複数のアップリンクチャネル上で１つまたは複数の基地局にロケーションメッセージと他のＶ２Ｖ情報とを送信し得、（１つまたは複数の）基地局は、１つまたは複数のダウンリンクチャネル上で他の車両にロケーションメッセージをブロードキャストし得る。ロケーションメッセージは、たとえば、車両ロケーション、速度、または方向、安全メッセージ（たとえば、車両故障警告または衝突警告）などを含み得る。いくつかの例では、車両によって受信されたロケーションメッセージは、車両ナビゲーションのために使用され得る。いくつかの例では、自動運転車両によって受信されたロケーションメッセージは、車両ナビゲーションのために自動運転車両によって使用され得る。
【発明の概要】
【０００６】
[0006]本開示は、たとえば、ＷＡＮベースＶ２Ｖシグナリングのための技法に関する。Ｖ２Ｖシグナリングのコンテキストにおける課題は、地理的エリア内の車両の一時的な高密度である。たとえば、ラッシュアワー中に、比較的小さい地理的エリアが、数百または数千個の車両を含んでいることがある。車両の各々から受信されたロケーションメッセージが、車両のサービング基地局のカバレージエリア内の車両のすべてに、または車両のサービング基地局およびそれの隣接基地局のカバレージエリア内の車両のすべてにブラインドでブロードキャストされるとき、ブロードキャストされる情報の量は極めて大きくなり得、基地局と車両とを含むＶ２Ｖワイヤレス通信システムは非効率的に動作し得る。Ｖ２Ｖワイヤレス通信システムの基地局が、他のＵＥ（たとえば、モバイルフォン、スマートフォンなど）をもサービスする場合、Ｖ２Ｖワイヤレス通信システムの動作は、他のＵＥ与えられるサービスレベルに悪影響を及ぼすことがある。本開示で説明される技法は、基地局が、車両ロケーション情報、ロケーションメッセージのための１つまたは複数のターゲットブロードキャスト範囲、ならびに１つまたは複数の基地局のセル（またはセクタ）のロケーションおよびカバレージエリアなど、情報に基づいていくつかの（a number of）セルからロケーションメッセージをブロードキャストすることを可能にする。
【０００７】
[0007]一例では、（たとえば、第１のセルに対応する、第１のセルに関連する、または第１のセル中に含まれる）第１の基地局におけるワイヤレス通信のための方法が説明される。本方法は、車両からロケーション情報を受信することと、ロケーション情報に少なくとも部分的に基づいて、車両に関連するロケーションメッセージをそれから（from which）ブロードキャストすべき複数のセルを識別することと、ここで、複数のセルが、少なくとも、第１の基地局の第１のセルと第２の基地局の第２のセルとを含み、ここにおいて、ロケーションメッセージがロケーション情報に少なくとも部分的に基づく、ロケーションメッセージのブロードキャストに関して、少なくとも第２の基地局と通信することとを含み得る。一例では、識別することは、車両に関連するロケーションメッセージをそれからブロードキャストすべき複数のセルを識別することを含み得、ここで、複数のセルは、少なくとも、第２の基地局のセルを含む。
【０００８】
[0008]いくつかの例では、ロケーション情報はアクセス層（ＡＳ：access stratum）レイヤ上で車両から受信され得る。いくつかの例では、本方法は、ロケーションメッセージのためのターゲットブロードキャスト範囲を識別することをさらに含み得、複数のセルは、ターゲットブロードキャスト範囲に少なくとも部分的に基づいてさらに識別され得る。いくつかの例では、ターゲットブロードキャスト範囲は、ロケーションメッセージのタイプ、または車両のタイプ、または車両からターゲットブロードキャスト範囲を受信すること、またはそれらの組合せに少なくとも部分的に基づいて識別され得る。いくつかの例では、本方法は、第１のセルに隣接する１つまたは複数のセルの（たとえば、いくつかの隣接セルの各セルの）ロケーションおよびカバレージエリアを識別することをさらに含み得、複数のセルは、第１のセルに隣接する１つまたは複数のセルのうちの少なくとも１つのロケーションおよびカバレージエリアに少なくとも部分的に基づいてさらに識別され得る。いくつかの例では、本方法は、車両から、ロケーションメッセージのコンテンツ、またはロケーションメッセージのタイプ、またはそれらの組合せのうちの少なくとも１つを含む、ロケーションメッセージ情報を受信することをさらに含み得る。いくつかの例では、本方法は、車両からロケーションメッセージ情報を受信した後に、所定の数の時間単位の間、ロケーションメッセージをブロードキャストすることを控えることをさらに含み得る。いくつかの例では、少なくとも第２の基地局と通信することは、少なくとも第２の基地局に、ロケーションメッセージのコンテンツ、またはロケーションメッセージのタイプ、またはロケーション情報、または複数のセルの指示（indication）、またはそれらの組合せを送信することを含み得る。
【０００９】
[0009]いくつかの例では、本方法は、ロケーションメッセージが複数のセルの各セルからブロードキャストされるのと同じ時間に、単一周波数ネットワーク上でロケーションメッセージをそれの中で（in which）ブロードキャストすべき少なくとも１つのサブフレームのセットを識別することをさらに含み得る。いくつかの例では、少なくとも１つのサブフレームのセットを識別することは、ロケーション情報に関連する地理的エリアを識別することと、地理的エリアを使用して、少なくとも１つのサブフレームのセットに対する地理的エリアのマッピング（a mapping of geographic areas to sets of at least one subframe）をインデックス付けすることとを含み得る。いくつかの例では、本方法は、システム情報ブロック（ＳＩＢ：system information block）、または専用無線リソース制御（ＲＲＣ：radio resource control）シグナリング、またはそれらの組合せのうちの少なくとも１つ中で、少なくとも１つのサブフレームのセットに対する地理的エリアのマッピングをブロードキャストすることをさらに含み得る。いくつかの例では、本方法は、複数のセルの各セルに知られているメッセージ順序に従って、地理的エリア中にある複数の車両に関係する複数のロケーションメッセージをブロードキャストすることをさらに含み得る。いくつかの例では、メッセージ順序は、地理的エリア内の車両ロケーションの順序付け、複数のロケーションメッセージのロケーションメッセージが送信のためにキューイングされる時間順序、ロケーションメッセージが複数の車両から受信される時間順序、またはそれらの組合せに少なくとも部分的に基づき得る。いくつかの例では、本方法は、少なくとも１つのサブフレーム中のサブフレームの物理ダウンリンク制御チャネル（ＰＤＣＣＨ：physical downlink control channel）上でロケーションメッセージのためのスケジューリング情報を送信することをさらに含み得、スケジューリング情報が、ロケーションメッセージを車両にブロードキャストするために予約されたセル無線ネットワーク一時識別子（Ｃ−ＲＮＴＩ：cell radio network temporary identifier）に関連する。いくつかの例では、本方法は、サブフレームのＰＤＣＣＨ上で少なくとも１つの非車両データ送信のためのスケジューリング情報を送信することをさらに含み得る。
【００１０】
[0010]いくつかの例では、本方法は、ロケーション情報に関連する地理的エリアを識別することと、地理的エリアを使用して、Ｃ−ＲＮＴＩに対する地理的エリアのマッピングをインデックス付けすることと、サブフレームのＰＤＣＣＨ上でロケーションメッセージのためのスケジューリング情報を送信することとをさらに含み得る。スケジューリング情報は、地理的エリアにマッピングされたＣ−ＲＮＴＩに関連し得る。いくつかの例では、本方法は、ＳＩＢ、または専用ＲＲＣシグナリング、またはそれらの組合せのうちの少なくとも１つ中で、Ｃ−ＲＮＴＩに対する地理的エリアのマッピングをブロードキャストすることをさらに含み得る。
【００１１】
[0011]一例では、（たとえば、第１のセルに対応する、第１のセルに関連する、または第１のセル中に含まれる）第１の基地局におけるワイヤレス通信のための装置が説明される。本装置は、車両からロケーション情報を受信するための手段と、ロケーション情報に少なくとも部分的に基づいて、車両に関連するロケーションメッセージをそれからブロードキャストすべき複数のセルを識別するための手段と、ここで、複数のセルが、少なくとも、第１の基地局の第１のセルと第２の基地局の第２のセルとを含む、ロケーションメッセージのブロードキャストに関して、少なくとも第２の基地局と通信するための手段とを含み得る。
【００１２】
[0012]本装置のいくつかの例では、ロケーション情報はＡＳレイヤ上で車両から受信され得る。いくつかの例では、本装置は、ロケーションメッセージのためのターゲットブロードキャスト範囲を識別するための手段をさらに含み得、複数のセルは、ターゲットブロードキャスト範囲に少なくとも部分的に基づいてさらに識別され得る。いくつかの例では、ターゲットブロードキャスト範囲は、ロケーションメッセージのタイプ、または車両のタイプ、または車両からターゲットブロードキャスト範囲を受信すること、またはそれらの組合せに少なくとも部分的に基づいて識別され得る。いくつかの例では、本装置は、第１のセルに隣接する１つまたは複数のセルのロケーションおよびカバレージエリアを識別するための手段をさらに含み得、複数のセルは、いくつかの隣接セルのうちの少なくとも１つのロケーションおよびカバレージエリアに少なくとも部分的に基づいてさらに識別され得る。いくつかの例では、本装置は、車両から、ロケーションメッセージのコンテンツ、またはロケーションメッセージのタイプ、またはそれらの組合せのうちの少なくとも１つを含む、ロケーションメッセージ情報を受信するための手段をさらに含み得る。いくつかの例では、本装置は、車両からロケーションメッセージ情報を受信した後に、所定の数の時間単位の間、ロケーションメッセージをブロードキャストすることを控えるための手段をさらに含み得る。いくつかの例では、少なくとも第２の基地局と通信するための手段は、少なくとも第２の基地局に、ロケーションメッセージのコンテンツ、またはロケーションメッセージのタイプ、またはロケーション情報、または複数のセルの指示、またはそれらの組合せを送信するための手段を含み得る。
【００１３】
[0013]いくつかの例では、本装置は、ロケーションメッセージが複数のセルの各セルからブロードキャストされるのと同じ時間に、単一周波数ネットワーク上でロケーションメッセージをそれの中でブロードキャストすべき少なくとも１つのサブフレームのセットを識別するための手段をさらに含み得る。いくつかの例では、少なくとも１つのサブフレームのセットを識別するための手段は、ロケーション情報に関連する地理的エリアを識別するための手段と、地理的エリアを使用して、少なくとも１つのサブフレームのセットに対する地理的エリアのマッピングをインデックス付けするための手段とを含み得る。いくつかの例では、本装置は、システム情報ブロック（ＳＩＢ）、または専用ＲＲＣシグナリング、またはそれらの組合せのうちの少なくとも１つ中で、少なくとも１つのサブフレームのセットに対する地理的エリアのマッピングをブロードキャストするための手段をさらに含み得る。いくつかの例では、本装置は、複数のセルの各セルに知られているメッセージ順序に従って、地理的エリア中にある複数の車両に関係する複数のロケーションメッセージをブロードキャストするための手段をさらに含み得る。いくつかの例では、メッセージ順序は、地理的エリア内の車両ロケーションの順序付け、複数のロケーションメッセージのロケーションメッセージが送信のためにキューイングされる時間順序、ロケーションメッセージが複数の車両から受信される時間順序、またはそれらの組合せに少なくとも部分的に基づき得る。いくつかの例では、本装置は、少なくとも１つのサブフレーム中のサブフレームの物理ダウンリンク制御チャネル（ＰＤＣＣＨ）上でロケーションメッセージのためのスケジューリング情報を送信するための手段をさらに含み得る。スケジューリング情報は、ロケーションメッセージを車両にブロードキャストするために予約されたＣ−ＲＮＴＩに関連し得る。いくつかの例では、本装置は、サブフレームのＰＤＣＣＨ上で少なくとも１つの非車両データ送信のためのスケジューリング情報を送信するための手段をさらに含み得る。
【００１４】
[0014]いくつかの例では、本装置は、ロケーション情報に関連する地理的エリアを識別するための手段と、地理的エリアを使用して、Ｃ−ＲＮＴＩに対する地理的エリアのマッピングをインデックス付けするための手段と、サブフレームのＰＤＣＣＨ上でロケーションメッセージのためのスケジューリング情報を送信するための手段とをさらに含み得る。スケジューリング情報は、地理的エリアにマッピングされたＣ−ＲＮＴＩに関連し得る。いくつかの例では、本装置は、ＳＩＢ、または専用ＲＲＣシグナリング、またはそれらの組合せのうちの少なくとも１つ中で、Ｃ−ＲＮＴＩに対する地理的エリアのマッピングをブロードキャストするための手段をさらに含み得る。
【００１５】
[0015]一例では、（たとえば、第１のセルに対応する、第１のセルに関連する、または第１のセル中に含まれる）第１の基地局におけるワイヤレス通信のための別の装置が説明される。本装置は、プロセッサと、プロセッサと電子通信しているメモリとを含み得る。プロセッサとメモリとは、車両からロケーション情報を受信することと、ロケーション情報に少なくとも部分的に基づいて、車両に関連するロケーションメッセージをそれからブロードキャストすべき複数のセルを識別することと、複数のセルが、少なくとも、第１の基地局の第１のセルと第２の基地局の第２のセルとを含む、ロケーションメッセージのブロードキャストに関して、少なくとも第２の基地局と通信することとを行うように構成され得る。
【００１６】
[0016]本装置のいくつかの例では、ロケーション情報はＡＳレイヤ上で車両から受信され得る。いくつかの例では、プロセッサとメモリとは、ロケーションメッセージのためのターゲットブロードキャスト範囲を識別するようにさらに構成され得、複数のセルは、ターゲットブロードキャスト範囲に少なくとも部分的に基づいてさらに識別され得る。いくつかの例では、ターゲットブロードキャスト範囲は、ロケーションメッセージのタイプ、または車両のタイプ、または車両からターゲットブロードキャスト範囲を受信すること、またはそれらの組合せに少なくとも部分的に基づいて識別され得る。いくつかの例では、プロセッサとメモリとは、第１のセルに隣接する１つまたは複数のセル（たとえば、いくつかの隣接セルの各セル）のロケーションおよびカバレージエリアを識別するようにさらに構成され得、複数のセルは、第１のセルに隣接する１つまたは複数のセルのうちの少なくとも１つのロケーションおよびカバレージエリアに少なくとも部分的に基づいてさらに識別され得る。いくつかの例では、プロセッサとメモリとは、車両から、ロケーションメッセージのコンテンツ、またはロケーションメッセージのタイプ、またはそれらの組合せのうちの少なくとも１つを含む、ロケーションメッセージ情報を受信するようにさらに構成され得る。いくつかの例では、プロセッサとメモリとは、車両からロケーションメッセージ情報を受信した後に、所定の数の時間単位の間、ロケーションメッセージをブロードキャストすることを控えるようにさらに構成され得る。いくつかの例では、少なくとも第２の基地局と通信することは、少なくとも第２の基地局に、ロケーションメッセージのコンテンツ、またはロケーションメッセージのタイプ、またはロケーション情報、または複数のセルの指示、またはそれらの組合せを送信することを含み得る。いくつかの例では、プロセッサとメモリとは、ロケーションメッセージが複数のセルの各セルからブロードキャストされるのと同じ時間に、単一周波数ネットワーク上でロケーションメッセージをそれの中でブロードキャストすべき少なくとも１つのサブフレームのセットを識別するようにさらに構成され得る。
【００１７】
[0017]一例では、（たとえば、第１のセルに対応する、第１のセルに関連する、または第１のセル中に含まれる）第１の基地局におけるワイヤレス通信のためのコンピュータ実行可能コードを記憶する非一時的コンピュータ可読媒体が説明される。コードは、車両からロケーション情報を受信することと、ロケーション情報に少なくとも部分的に基づいて、車両に関連するロケーションメッセージをそれからブロードキャストすべき複数のセルを識別することと、複数のセルが、少なくとも、第１の基地局の第１のセルと第２の基地局の第２のセルとを含む、ロケーションメッセージのブロードキャストに関して、少なくとも第２の基地局と通信することとを行うためにプロセッサによって実行可能であり得る。
【００１８】
[0018]本非一時的コンピュータ可読媒体のいくつかの例では、ロケーション情報はＡＳレイヤ上で車両から受信され得る。いくつかの例では、少なくとも第２の基地局と通信するためにプロセッサによって実行可能なコードは、少なくとも第２の基地局に、ロケーションメッセージのコンテンツ、またはロケーションメッセージのタイプ、またはロケーション情報、または複数のセルの指示、またはそれらの組合せを送信するためにプロセッサによって実行可能なコードを含み得る。いくつかの例では、コードは、ロケーションメッセージが複数のセルの各セルからブロードキャストされるのと同じ時間に、単一周波数ネットワーク上でロケーションメッセージをそれの中でブロードキャストすべき少なくとも１つのサブフレームのセットを識別するためにプロセッサによってさらに実行可能であり得る。
【００１９】
[0019]一例では、車両におけるワイヤレス通信のための方法が説明される。本方法は、ＡＳレイヤ上で車両から基地局にロケーション情報を送信することと、基地局にロケーションメッセージ情報を送信することとを含み得る。
【００２０】
[0020]本方法のいくつかの例では、ロケーションメッセージ情報は、ロケーションメッセージのコンテンツ、またはロケーションメッセージのタイプ、またはそれらの組合せのうちの少なくとも１つを含み得る。いくつかの例では、本方法は、基地局にロケーションメッセージのためのターゲットブロードキャスト範囲を送信することをさらに含み得る。いくつかの例では、ロケーション情報とロケーションメッセージ情報とは同じサブフレーム中で送信され得る。いくつかの例では、本方法は、ＳＩＢ、または専用ＲＲＣシグナリング、またはそれらの組合せのうちの少なくとも１つ中で、少なくとも１つのサブフレームのセットに対する地理的エリアのマッピングを受信することと、車両のロケーションに関連する地理的エリアを識別することと、地理的エリアにマッピングされた少なくとも１つのサブフレームのセット中で送信を監視することとをさらに含み得る。いくつかの例では、本方法は、ＳＩＢ、または専用ＲＲＣシグナリング、またはそれらの組合せのうちの少なくとも１つ中で、Ｃ−ＲＮＴＩに対する地理的エリアのマッピングを受信することと、車両のロケーションに関連する地理的エリアを識別することと、地理的エリアにマッピングされた少なくとも１つのＣ−ＲＮＴＩに関連する送信を監視することとをさらに含み得る。
【００２１】
[0021]一例では、車両におけるワイヤレス通信のための装置が説明される。本装置は、ＡＳレイヤ上で車両から基地局にロケーション情報を送信するための手段と、基地局にロケーションメッセージ情報を送信するための手段とを含み得る。
【００２２】
[0022]本装置のいくつかの例では、ロケーションメッセージ情報は、ロケーションメッセージのコンテンツ、またはロケーションメッセージのタイプ、またはそれらの組合せのうちの少なくとも１つを含み得る。いくつかの例では、本装置は、基地局にロケーションメッセージのためのターゲットブロードキャスト範囲を送信するための手段をさらに含み得る。いくつかの例では、ロケーション情報とロケーションメッセージ情報とは同じサブフレーム中で送信され得る。いくつかの例では、本装置は、ＳＩＢ、または専用ＲＲＣシグナリング、またはそれらの組合せのうちの少なくとも１つ中で、少なくとも１つのサブフレームのセットに対する地理的エリアのマッピングを受信するための手段と、車両のロケーションに関連する地理的エリアを識別するための手段と、地理的エリアにマッピングされた少なくとも１つのサブフレームのセット中で送信を監視するための手段とをさらに含み得る。いくつかの例では、本装置は、ＳＩＢ、または専用ＲＲＣシグナリング、またはそれらの組合せのうちの少なくとも１つ中で、Ｃ−ＲＮＴＩに対する地理的エリアのマッピングを受信するための手段と、車両のロケーションに関連する地理的エリアを識別するための手段と、地理的エリアにマッピングされた少なくとも１つのＣ−ＲＮＴＩに関連する送信を監視するための手段とをさらに含み得る。
【００２３】
[0023]一例では、車両におけるワイヤレス通信のための別の装置が説明される。本装置は、プロセッサと、プロセッサと電子通信しているメモリとを含み得る。プロセッサとメモリとは、ＡＳレイヤ上で車両から基地局にロケーション情報を送信することと、基地局にロケーションメッセージ情報を送信することとを行うように構成され得る。いくつかの例では、ロケーションメッセージ情報は、ロケーションメッセージのコンテンツ、またはロケーションメッセージのタイプ、またはそれらの組合せのうちの少なくとも１つを含み得る。いくつかの例では、プロセッサとメモリとは、基地局にロケーションメッセージのためのターゲットブロードキャスト範囲を送信するように構成され得る。
【００２４】
[0024]一例では、車両におけるワイヤレス通信のためのコンピュータ実行可能コードを記憶する非一時的コンピュータ可読媒体が説明される。コードは、ＡＳレイヤ上で車両から基地局にロケーション情報を送信することと、基地局にロケーションメッセージ情報を送信することとを行うためにプロセッサによって実行可能であり得る。
【００２５】
[0025]本非一時的コンピュータ可読媒体のいくつかの例では、ロケーションメッセージ情報は、ロケーションメッセージのコンテンツ、またはロケーションメッセージのタイプ、またはそれらの組合せのうちの少なくとも１つを含み得る。いくつかの例では、コードは、基地局にロケーションメッセージのためのターゲットブロードキャスト範囲を送信するためにプロセッサによって実行可能であり得る。
【００２６】
[0026]上記は、以下の発明を実施するための形態がより良く理解され得るように、本開示による例の技法および技術的利点についてやや広く概説した。追加の技法および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性は、それらの編成と動作の方法の両方とも、関連する利点とともに、添付の図に関連して以下の説明を検討するとより良く理解されよう。図の各々は、例示および説明の目的で与えられるものであり、特許請求の範囲の制限の定義として与えられるものではない。
【００２７】
[0027]本発明の性質および利点のさらなる理解は、以下の図面を参照して実現され得る。添付の図では、同様の構成要素または機能は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２８】
【図１】[0028]本開示の様々な態様による、ワイヤレス通信システムの一例を示す図。
【図２】[0029]本開示の様々な態様による、ワイヤレス通信システムを示す図。
【図３】[0030]本開示の様々な態様による、ワイヤレス通信システムを示す図。
【図４】[0031]本開示の様々な態様による、送信が基地局、ＵＥ、または車両によって行われ得るサブフレームのシーケンスを示す図。
【図５】[0032]本開示の様々な態様による、ワイヤレス通信において使用するための装置のブロック図。
【図６】[0033]本開示の様々な態様による、ワイヤレス通信において使用するための装置のブロック図。
【図７】[0034]本開示の様々な態様による、ワイヤレス通信において使用するための装置のブロック図。
【図８】[0035]本開示の様々な態様による、ワイヤレス通信において使用するための装置のブロック図。
【図９】[0036]本開示の様々な態様による、ワイヤレス通信において使用するための基地局（たとえば、ｅＮＢの一部または全部を形成する基地局）のブロック図。
【図１０】[0037]本開示の様々な態様による、ワイヤレス通信において使用するための車両のブロック図。
【図１１】[0038]本開示の様々な態様による、第１の基地局におけるワイヤレス通信のための方法の一例を示すフローチャート。
【図１２】[0039]本開示の様々な態様による、第１の基地局におけるワイヤレス通信のための方法の一例を示すフローチャート。
【図１３】[0040]本開示の様々な態様による、第１の基地局におけるワイヤレス通信のための方法の一例を示すフローチャート。
【図１４】[0041]本開示の様々な態様による、第１の基地局におけるワイヤレス通信のための方法の一例を示すフローチャート。
【図１５】[0042]本開示の様々な態様による、車両におけるワイヤレス通信のための方法の一例を示すフローチャート。
【図１６】[0043]本開示の様々な態様による、車両におけるワイヤレス通信のための方法の一例を示すフローチャート。
【発明を実施するための形態】
【００２９】
[0044]ＷＡＮベースＶ２Ｖシグナリングが改善され得る技法が説明される。ＷＡＮベースＶ２Ｖシグナリングが実行される技法は、ワイヤレス通信システムの効率性を改善し得る。いくつかの例では、ワイヤレス通信システムはＬＴＥ／ＬＴＥ−Ａネットワークであるか、またはそれを含み得る。
【００３０】
[0045]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００３１】
[0046]図１は、本開示の様々な態様による、ワイヤレス通信システム１００の一例を示す。ワイヤレス通信システム１００は、基地局１０５と、ＵＥ１１５と、コアネットワーク１３０とを含み得る。ＵＥのうちのいくつかは、ワイヤレス通信デバイスを装備した車両１３５の形態をとり得る。コアネットワーク１３０は、ユーザ認証と、アクセス認可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５および車両１３５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１、Ｘ２など）を介して、直接または間接的にのいずれかで（たとえば、コアネットワーク１３０を通して）、互いと通信し得る。
【００３２】
[0047]基地局１０５は、１つまたは複数の基地局アンテナを介してＵＥ１１５および車両１３５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、複数のセルまたはセクタ（図示せず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３３】
[0048]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５のうちの１つまたは複数のセットを表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３４】
[0049]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる無線周波数スペクトル帯域において動作し得る、低電力基地局であり得る。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３５】
[0050]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００３６】
[0051]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５または車両１３５と、基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００３７】
[0052]ＵＥ１１５および車両１３５は、ワイヤレス通信システム１００全体にわたって分散され（be dispersed throughout）得、各ＵＥ１１５または車両１３５は固定または移動（stationary or mobile）であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５または車両１３５は、マクロｅＮＢ、スモールセルｅＮＢ、リレー基地局などを含む、様々なタイプの基地局およびネットワーク機器と通信することが可能であり得る。
【００３８】
[0053]ワイヤレス通信システム１００に示されている通信リンク１２５は、基地局１０５からＵＥ１１５または車両１３５へのダウンリンク（ＤＬ）チャネル、あるいはＵＥ１１５または車両１３５から基地局１０５へのアップリンク（ＵＬ）チャネルを含み得る。ダウンリンクチャネルは順方向リンクチャネルと呼ばれることもあり、アップリンクチャネルは逆方向リンクチャネルと呼ばれることもある。
【００３９】
[0054]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、または時間領域複信（ＴＤＤ：time domain duplexing）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００４０】
[0055]ワイヤレス通信システム１００のいくつかの例では、基地局１０５、ＵＥ１１５、または車両１３５は、基地局１０５とＵＥ１１５または車両１３５との間の通信品質と信頼性とを改善するために、アンテナダイバーシティ方式を採用するために複数の（multiple）アンテナを含み得る。追加または代替として、基地局１０５、ＵＥ１１５、または車両１３５は、同じまたは異なるコード化データを搬送する複数の空間レイヤを送信するために、マルチパス環境を利用し得る多入力多出力（ＭＩＭＯ）技法を採用し得る。
【００４１】
[0056]ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。キャリアアグリゲーションは、ＦＤＤコンポーネントキャリアとＴＤＤコンポーネントキャリアの両方とともに使用され得る。
【００４２】
[0057]図２は、本開示の様々な態様による、ワイヤレス通信システム２００を示す。ワイヤレス通信システム２００は、（たとえば、第１の基地局２０５と、第２の基地局２０５−ａと、第３の基地局２０５−ｂとを含む）いくつかの基地局と、いくつかのＵＥまたは車両（たとえば、車両２３５）とを含み得る。第１の基地局２０５、第２の基地局２０５−ａ、および第３の基地局２０５−ｂは、図１を参照しながら説明された基地局１０５の態様の例であり得、車両２３５は、図１を参照しながら説明された車両１３５の態様の一例であり得る。いくつかの例では、第１の基地局２０５、第２の基地局２０５−ａ、第３の基地局２０５−ｂ、および車両２３５は、ＬＴＥ／ＬＴＥ−Ａネットワークの一部として動作し得る。
【００４３】
[0058]基地局の各々は、それぞれのカバレージエリアに関連し得る。たとえば、第１の基地局２０５は第１のカバレージエリア２１０に関連し得、第２の基地局２０５−ａは第２のカバレージエリア２１０−ａに関連し得、第３の基地局２０５−ｂは第３のカバレージエリア２１０−ｂに関連し得る。カバレージエリアの各々は、複数のセル（セクタ）を含み得る。たとえば、第１のカバレージエリア２１０は、第１のセル２１５と、第２のセル２１５−ａと、第３のセル２１５−ｂとを含み得、第２のカバレージエリア２１０−ａは、第４のセル２１５−ｃと、第５のセル２１５−ｄと、第６のセル２１５−ｅとを含み得、第３のカバレージエリア２１０−ｂは、第７のセル２１５−ｆと、第８のセル２１５−ｇと、第９のセル２１５−ｈとを含み得る。
【００４４】
[0059]例として、第１の基地局２０５は、車両２３５のためのサービング基地局として動作し得る。車両２３５は、第１の基地局２０５にロケーション情報（たとえば、車両２３５のロケーション、または車両２３５がある（located）地理的エリア）を送信し得、いくつかの例では、第１の基地局２０５にロケーションメッセージ情報（たとえば、ロケーションメッセージのコンテンツ、またはロケーションメッセージのタイプ、またはそれらの組合せ）および／またはロケーションメッセージのためのターゲットブロードキャスト範囲２４０（車両のロケーションを中心とする半径ｒの範囲）を送信し得る。少なくともロケーション情報は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）車両２３５から第１の基地局に送信され得る。別の実施形態では、ロケーション情報は上位レイヤ上で車両２３５から第１の基地局に送信され得る。態様では、ロケーションメッセージは、たとえば、車両ロケーション、速度、または方向、安全メッセージ（たとえば、車両故障警告または衝突警告）などを含み得る。いくつかの例では、車両によって受信されたロケーションメッセージは、車両ナビゲーションのために使用され得る。いくつかの例では、自動運転車両によって受信されたロケーションメッセージは、車両ナビゲーションのために自動運転車両によって使用され得る。
【００４５】
[0060]ロケーション情報に少なくとも部分的に基づいて、（たとえば、第１のセルに対応する、第１のセルに関連する、または第１のセル中に含まれる）第１の基地局２０５は、ロケーションメッセージをブロードキャストすべき複数のセルを識別し得る。いくつかの例では、複数のセルは、（車両２３５から受信されるか、あるいは、たとえば、ロケーションメッセージのタイプまたは車両２３５のタイプに基づいて識別され得る）ロケーションメッセージのための識別されたターゲットブロードキャスト範囲にも少なくとも部分的に基づいて識別され得る。いくつかの例では、複数のセルは、第１の基地局２０５と、第２の基地局２０５−ａと、第３の基地局２０５−ｂとのセルのロケーションおよびカバレージエリアにも少なくとも部分的に基づいて識別され得る。たとえば、第１の基地局２０５は、ロケーションメッセージをブロードキャストすべき複数のセルを、第２のセル２１５−ａ、第６のセル２１５−ｅ、および第７のセル２１５−ｆとして識別し得る。この識別は、ロケーションメッセージのためのターゲットブロードキャスト範囲が、第２のセル２１５−ａ、第６のセル２１５−ｅ、および第７のセル２１５−ｆのカバレージエリアと重複するという決定に少なくとも部分的に基づき得る。いくつかの例では、隣接セルのロケーションおよびカバレージエリアが、Ｘ２またはＳ１シグナリングを使用して、あるいはオペレーション、アドミニストレーション、およびメンテナンス（ＯＡＭ：operation, administration, and maintenance）インターフェースを使用してシグナリングされ得る。上記で説明された例の態様では、隣接セルは、第１のセルに隣接する１つまたは複数のセルを含み得る。
【００４６】
[0061]複数のセルを識別すると、第１の基地局２０５は、ロケーションメッセージのブロードキャストに関して、識別されたセルに関連する基地局と通信し得る。いくつかの例では、識別された基地局と通信することは、基地局に、ロケーションメッセージのコンテンツ、またはロケーションメッセージのタイプ、またはロケーション情報、または複数のセルの指示、またはそれらの組合せを送信することを含み得る。
【００４７】
[0062]いくつかの例では、第１の基地局２０５、第２の基地局２０５−ａ、および第３の基地局２０５−ｂは、車両２３５からロケーションメッセージ情報を受信した後に、所定の数の時間単位の間、車両２３５に関連するロケーションメッセージをブロードキャストすることを控え得る。したがって、ロケーションメッセージ情報はタイムスタンプを付けられ得、タイムスタンプとともに第２の基地局２０５−ａと第３の基地局２０５−ｂとに送信され得る。ある時間期間の間ロケーションメッセージをブロードキャストすることを控えることは、ロケーションメッセージのブロードキャストに関して、基地局に通信するための時間を与え、基地局のセルがロケーションメッセージをブロードキャストする車両のリストを更新する（たとえば、調和させる（harmonize））（たとえば、したがって（so that）、それらのセルは、車両の同じリストにブロードキャストし、ＳＦＮ様式（manner）でロケーションメッセージをブロードキャストすることができる）ための時間を与えることができる。
【００４８】
[0063]いくつかの例では、車両２３５に関連するロケーションメッセージのブロードキャストは、ＳＦＮ上で（たとえば、ＬＴＥ／ＬＴＥ−Ａネットワークのマルチキャストブロードキャスト単一周波数ネットワーク（ＭＢＳＦＮ：multicast-broadcast single-frequency network）サブフレーム中で）行われ得る。
【００４９】
[0064]車両２３５に関連するロケーションメッセージのブロードキャストは、図２を参照しながら説明されたように、ロケーションメッセージがブロードキャストされるセルの数を（たとえば、９つのセルのセットから３つのセルのセットに）低減することができ、ロケーションメッセージをブロードキャストするために使用されるリソースの数と電力量とを低減することができる。
【００５０】
[0065]図３は、本開示の様々な態様による、ワイヤレス通信システム３００を示す。ワイヤレス通信システム３００は、（たとえば、第１の基地局３０５と、第２の基地局３０５−ａと、第３の基地局３０５−ｂとを含む）いくつかの基地局を含み得る。第１の基地局３０５、第２の基地局３０５−ａ、および第３の基地局３０５−ｂは、図１を参照しながら説明された基地局１０５の態様の例であり得る。いくつかの例では、第１の基地局３０５、第２の基地局３０５−ａ、および第３の基地局３０５−ｂは、ＬＴＥ／ＬＴＥ−Ａネットワークの一部として動作し得る。
【００５１】
[0066]基地局の各々は、それぞれのカバレージエリアに関連し得る。たとえば、第１の基地局３０５は第１のカバレージエリア３１０に関連し得、第２の基地局３０５−ａは第２のカバレージエリア３１０−ａに関連し得、第３の基地局３０５−ｂは第３のカバレージエリア３１０−ｂに関連し得る。カバレージエリアの各々は、複数のセル（セクタ）を含み得る。たとえば、第１のカバレージエリア３１０は、第１のセル３１５と、第２のセル３１５−ａと、第３のセル３１５−ｂとを含み得、第２のカバレージエリア３１０−ａは、第４のセル３１５−ｃと、第５のセル３１５−ｄと、第６のセル３１５−ｅとを含み得、第３のカバレージエリア３１０−ｂは、第７のセル３１５−ｆと、第８のセル３１５−ｇと、第９のセル３１５−ｈとを含み得る。
【００５２】
[0067]車両がワイヤレス通信システム３００内で移動するとき、車両に関連するロケーションメッセージがブロードキャストされる複数のセルは変化することがある（can）。車両に関連するロケーションメッセージをブロードキャストするための、基地局間で交換される協調情報の量を低減するために、および／またはＶ２Ｖ通信に関連するレイテンシを低減するために、リソース（たとえば、サブフレーム）に対する地理的エリアの半静的マッピングが、ワイヤレス通信システム３００の基地局によって共有／使用され得る。１つの地理的エリア３２０の一例が図３に示されている。地理的エリア３２０によって示されているように、地理的エリアは２つ以上の基地局のセルを含み得る。地理的エリアは、代替的に、ただ１つの基地局のセルを含み得る。地理的エリア３２０にマッピングされ得るリソースは図４に示されている。
【００５３】
[0068]図４は、本開示の様々な態様による、送信が基地局、ＵＥ、または車両によって行われ得るサブフレームのシーケンス４００を示す。サブフレームのシーケンス４００のサブフレーム中で送信し得る、基地局、ＵＥ、または車両は、たとえば、図１、図２、または図３を参照しながら説明された、基地局１０５、２０５、２０５−ａ、２０５−ｂ、３０５、３０５、３０５−ａ、または３０５−ｂ、あるいはＵＥ１１５、あるいは車両１３５または２３５の態様を含み得る。
【００５４】
[0069]いくつかの例では、サブフレームのセット４０５は、図３を参照しながら説明された地理的エリア３２０にマッピングされ得、地理的エリア３２０内にある車両に関連するロケーションメッセージがブロードキャストされるべきであるとき、図３を参照しながら説明された、第１の基地局３０５、第２の基地局３０５−ａ、および第３の基地局３０５−ｂの各々が、サブフレームのセット４０５の各サブフレーム中でロケーションメッセージをブロードキャストし得る。サブフレームの他のセットが他の地理的エリアにマッピングされ得る。
【００５５】
[0070]いくつかの例では、サブフレームのセット４０５のうちのサブフレームは、ＬＴＥ／ＬＴＥ−Ａ  ＭＢＳＦＮサブフレームであり得る。単一周波数ネットワーク上でロケーションメッセージのブロードキャストを設備（facility）に、地理的エリア（たとえば、図３の地理的エリア３２０）中にある複数の車両に関係する（pertaining to）ロケーションメッセージは、ロケーションメッセージをブロードキャストする各基地局またはセルに知られているメッセージ順序に従ってブロードキャストされ得る。いくつかの例では、メッセージ順序は、（たとえば、車両に関連する緯度および経度ロケーション情報に基づく）地理的エリア内の車両ロケーションの順序付け、複数のロケーションメッセージのロケーションメッセージが送信のためにキューイングされる時間順序、ロケーションメッセージが複数の車両から受信される時間順序、またはそれらの組合せに少なくとも部分的に基づき得る。
【００５６】
[0071]図５は、本開示の様々な態様による、ワイヤレス通信において使用するための装置５０５のブロック図５００を示す。装置５０５は、図１、図２、または図３を参照しながら説明された基地局１０５、２０５、２０５−ａ、２０５−ｂ、３０５、３０５−ａ、または３０５−ｂのうちの１つまたは複数の態様の一例であり得る。装置５０５はまた、プロセッサであるか、またはそれを含み得る。装置５０５は、受信機５１０、ワイヤレス通信マネージャ５２０、または送信機５３０を含み得る。これらの構成要素の各々は互いと通信していることがある。
【００５７】
[0072]装置５０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、システムオンチップ（ＳｏＣ）、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００５８】
[0073]いくつかの例では、受信機５１０は、いくつかの無線周波数スペクトル帯域上での送信を受信するように動作可能な少なくとも１つの無線周波数（ＲＦ）受信機など、少なくとも１つのＲＦ受信機を含み得る。いくつかの例では、無線周波数スペクトル帯域のうちの１つまたは複数が、たとえば、図１、図２、図３、または図４を参照しながら説明されたように、ＬＴＥ／ＬＴＥ−Ａ通信のために使用され得る。受信機５１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。
【００５９】
[0074]いくつかの例では、送信機５３０は、いくつかの無線周波数スペクトル帯域上で送信するように動作可能な少なくとも１つのＲＦ送信機など、少なくとも１つのＲＦ送信機を含み得る。送信機５３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。
【００６０】
[0075]いくつかの例では、ワイヤレス通信マネージャ５２０は、装置５０５のためのワイヤレス通信の１つまたは複数の態様を管理するために使用され得る。いくつかの例では、ワイヤレス通信マネージャ５２０の一部は、受信機５１０または送信機５３０に組み込まれるかまたはそれと共有され得る。いくつかの例では、ワイヤレス通信マネージャ５２０は、車両情報マネージャ５３５またはメッセージブロードキャストマネージャ５４５を含み得る。
【００６１】
[0076]車両情報マネージャ５３５はロケーション情報マネージャ５４０を含み得る。ロケーション情報マネージャ５４０は、車両からロケーション情報を受信するために使用され得る。いくつかの例では、ロケーション情報は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）車両から受信され得る。
【００６２】
[0077]メッセージブロードキャストマネージャ５４５は、セル識別器５５０またはブロードキャストコーディネータ５５５を含み得る。セル識別器５５０は、ロケーション情報に少なくとも部分的に基づいて、車両に関連するロケーションメッセージをブロードキャストすべき複数のセルを識別するために使用され得る。複数のセルは、少なくとも、第１の基地局（たとえば、装置５０５を含む基地局）の第１のセルと第２の基地局の第２のセルとを含み得る。ブロードキャストコーディネータ５５５は、ロケーションメッセージのブロードキャストに関して、少なくとも第２の基地局と通信するために使用され得る。
【００６３】
[0078]図６は、本開示の様々な態様による、ワイヤレス通信において使用するための装置６０５のブロック図６００を示す。装置６０５は、図１、図２、または図３を参照しながら説明された基地局１０５、２０５、２０５−ａ、２０５−ｂ、３０５、３０５−ａ、または３０５−ｂのうちの１つまたは複数の態様、あるいは図５を参照しながら説明された装置５０５の態様の一例であり得る。装置６０５はまた、プロセッサであるか、またはそれを含み得る。装置６０５は、受信機６１０、ワイヤレス通信マネージャ６２０、または送信機６３０を含み得る。これらの構成要素の各々は互いと通信していることがある。
【００６４】
[0079]装置６０５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００６５】
[0080]いくつかの例では、受信機６１０は、いくつかの無線周波数スペクトル帯域上での送信を受信するように動作可能な少なくとも１つのＲＦ受信機など、少なくとも１つのＲＦ受信機を含み得る。いくつかの例では、無線周波数スペクトル帯域のうちの１つまたは複数が、たとえば、図１、図２、図３、または図４を参照しながら説明されたように、ＬＴＥ／ＬＴＥ−Ａ通信のために使用され得る。受信機６１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。
【００６６】
[0081]いくつかの例では、送信機６３０は、いくつかの無線周波数スペクトル帯域上で送信するように動作可能な少なくとも１つのＲＦ送信機など、少なくとも１つのＲＦ送信機を含み得る。送信機６３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。
【００６７】
[0082]いくつかの例では、ワイヤレス通信マネージャ６２０は、装置６０５のためのワイヤレス通信の１つまたは複数の態様を管理するために使用され得る。いくつかの例では、ワイヤレス通信マネージャ６２０の一部は、受信機６１０または送信機６３０に組み込まれるかまたはそれと共有され得る。いくつかの例では、ワイヤレス通信マネージャ６２０は、マッピングブロードキャスター６８０、隣接セル情報コレクタ６６０、車両情報マネージャ６３５、またはメッセージブロードキャストマネージャ６４５を含み得る。
【００６８】
[0083]マッピングブロードキャスター６８０は、少なくとも１つのサブフレームのセットに対する地理的エリアのマッピング、またはＣ−ＲＮＴＩに対する地理的エリアのマッピングを（たとえば、車両に）ブロードキャストするために使用され得る。いくつかの例では、（１つまたは複数の）マッピングは、ＳＩＢ、専用ＲＲＣシグナリング、またはそれらの組合せのうちの少なくとも１つ中でブロードキャストされ得る。
【００６９】
[0084]隣接セル情報コレクタ６６０は、いくつかの隣接セルの各セルのロケーションおよびカバレージエリアを識別するために使用され得る（その（１つまたは複数の）隣接セルは、第１の基地局（たとえば、装置６０５を含む基地局）の１つまたは複数のセル、および／または隣接基地局の１つまたは複数のセルを含み得る）。
【００７０】
[0085]車両情報マネージャ６３５は、ロケーション情報マネージャ６４０、ロケーションメッセージ情報マネージャ６６５、またはターゲットブロードキャスト範囲識別器６７０を含み得る。ロケーション情報マネージャ６４０は、車両からロケーション情報を受信するために使用され得る。いくつかの例では、ロケーション情報は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）車両から受信され得る。ロケーションメッセージ情報マネージャ６６５は、車両から、ロケーションメッセージ情報を受信するために使用され得る。ロケーションメッセージ情報は、車両に関連するロケーションメッセージのコンテンツ、またはロケーションメッセージのタイプ、またはそれらの組合せのうちの少なくとも１つを含み得る。いくつかの例では、ロケーションメッセージのタイプは、ロケーションメッセージをブロードキャストするための指示から推測され（inferred）得、その指示は車両から受信され得る。いくつかの例では、指示はシングルビットを含み得る。いくつかの例では、指示は、ロケーション情報マネージャ６４０によって受信されるロケーション情報の送信であり得る。ターゲットブロードキャスト範囲識別器６７０は、ロケーションメッセージのためのターゲットブロードキャスト範囲を識別するために使用され得る。いくつかの例では、ターゲットブロードキャスト範囲は、ロケーションメッセージのタイプ、または車両のタイプ、または車両からターゲットブロードキャスト範囲を受信すること、またはそれらの組合せに少なくとも部分的に基づいて識別され得る。
【００７１】
[0086]メッセージブロードキャストマネージャ６４５は、ロケーションメッセージをブロードキャストするために使用され得る。いくつかの例では、メッセージブロードキャストマネージャ６４５は、複数のセルの各セルに知られているメッセージ順序に従って、地理的エリア中にある複数の車両に関係する複数のロケーションメッセージをブロードキャストし得る。いくつかの例では、メッセージ順序は、地理的エリア内の車両ロケーションの順序付け、複数のロケーションメッセージのロケーションメッセージが送信のためにキューイングされる時間順序、ロケーションメッセージが複数の車両から受信される時間順序、またはそれらの組合せに少なくとも部分的に基づき得る。
【００７２】
[0087]いくつかの例では、メッセージブロードキャストマネージャ６４５は、セル識別器６５０、サブフレーム識別器６８５、Ｃ−ＲＮＴＩ識別器６９５、ブロードキャストコーディネータ６５５、ブロードキャストメッセージ遅延タイマー６７５、メッセージスケジューラ６９０を含み得る。セル識別器６５０は、ロケーション情報、ターゲットブロードキャスト範囲、ならびに／またはいくつかの隣接セルのうちの少なくとも１つのロケーションおよびカバレージエリアに少なくとも部分的に基づいて、ロケーションメッセージをブロードキャストすべき複数のセルを識別するために使用され得る。複数のセルは、少なくとも、第１の基地局の第１のセルと第２の基地局の第２のセルとを含み得る。サブフレーム識別器６８５は、ロケーションメッセージが複数のセルの各セルからブロードキャストされるのと同じ時間に、単一周波数ネットワーク上でロケーションメッセージをブロードキャストすべき少なくとも１つのサブフレームのセットを識別するために使用され得る。いくつかの例では、少なくとも１つのサブフレームのセットは、少なくとも１つのＬＴＥ／ＬＴＥ−Ａ  ＭＢＳＦＮサブフレームのセットを含み得る。いくつかの例では、少なくとも１つのサブフレームのセットを識別することは、ロケーション情報に関連する地理的エリアを識別することと、地理的エリアを使用して、少なくとも１つのサブフレームのセットに対する地理的エリアのマッピングをインデックス付けすることとを含み得る。Ｃ−ＲＮＴＩ識別器６９５は、いくつかの例では、ロケーション情報に関連する地理的エリアを識別することと、地理的エリアを使用して、Ｃ−ＲＮＴＩに対する地理的エリアのマッピングをインデックス付けすることとを行うために使用され得る。ブロードキャストコーディネータ６５５は、ロケーションメッセージのブロードキャストに関して、少なくとも第２の基地局と通信するために使用され得る。いくつかの例では、通信することは、少なくとも第２の基地局に、ロケーションメッセージのコンテンツ、またはロケーションメッセージのタイプ、またはロケーション情報、または複数のセルの指示、またはそれらの組合せを送信することを含み得る。ブロードキャストメッセージ遅延タイマー６７５は、車両からロケーションメッセージ情報を受信した後に、所定の数の時間単位の間（for a predetermined number of time units）、ロケーションメッセージをブロードキャストすることを控えるために使用され得る。メッセージスケジューラ６９０は、少なくとも１つのサブフレーム中のサブフレームのＰＤＣＣＨ上でロケーションメッセージのためのスケジューリング情報を送信するために使用され得る。スケジューリング情報は、ロケーションメッセージを車両にブロードキャストするために予約されたＣ−ＲＮＴＩに関連するか、または地理的エリアにマッピングされたＣ−ＲＮＴＩに関連し得る。いくつかの例では、メッセージスケジューラ６９０は、サブフレームのＰＤＣＣＨ上で少なくとも１つの非車両データ送信のためのスケジューリング情報を送信するためにも使用され得る。少なくとも１つの非車両データ送信のためのスケジューリング情報は、ロケーションメッセージを車両にブロードキャストするために予約されたＣ−ＲＮＴＩに関連しないことがある（ただし、１つまたは複数の他のＣ−ＲＮＴＩに関連し得る）。
【００７３】
[0088]図７は、本開示の様々な態様による、ワイヤレス通信において使用するための装置７１５のブロック図７００を示す。装置７１５は、図１または図２を参照しながら説明された車両１３５または２３５のうちの１つまたは複数の態様の一例であり得る。装置７１５はまた、プロセッサであるか、またはそれを含み得る。装置７１５は、受信機７１０、ワイヤレス通信マネージャ７２０、または送信機７３０を含み得る。これらの構成要素の各々は互いと通信していることがある。
【００７４】
[0089]装置７１５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００７５】
[0090]いくつかの例では、受信機７１０は、いくつかの無線周波数スペクトル帯域上での送信を受信するように動作可能な少なくとも１つのＲＦ受信機など、少なくとも１つのＲＦ受信機を含み得る。いくつかの例では、無線周波数スペクトル帯域のうちの１つまたは複数が、たとえば、図１、図２、図３、または図４を参照しながら説明されたように、ＬＴＥ／ＬＴＥ−Ａ通信のために使用され得る。受信機７１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。
【００７６】
[0091]いくつかの例では、送信機７３０は、いくつかの無線周波数スペクトル帯域上で送信するように動作可能な少なくとも１つのＲＦ送信機など、少なくとも１つのＲＦ送信機を含み得る。送信機７３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。
【００７７】
[0092]いくつかの例では、ワイヤレス通信マネージャ７２０は、装置７１５のためのワイヤレス通信の１つまたは複数の態様を管理するために使用され得る。いくつかの例では、ワイヤレス通信マネージャ７２０の一部は、受信機７１０または送信機７３０に組み込まれるかまたはそれと共有され得る。いくつかの例では、ワイヤレス通信マネージャ７２０は、ロケーション情報送信マネージャ７３５またはロケーションメッセージ情報送信マネージャ７４０を含み得る。
【００７８】
[0093]ロケーション情報送信マネージャ７３５は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）装置７１５から基地局にロケーション情報を送信するために使用され得る。ロケーションメッセージ情報送信マネージャ７４０は、装置７１５から基地局にロケーションメッセージ情報を送信するために使用され得る。ロケーションメッセージ情報は、車両に関連するロケーションメッセージのコンテンツ、またはロケーションメッセージのタイプ、またはそれらの組合せのうちの少なくとも１つを含み得る。
【００７９】
[0094]図８は、本開示の様々な態様による、ワイヤレス通信において使用するための装置８１５のブロック図８００を示す。装置８１５は、図１または図２を参照しながら説明された車両１３５または２３５のうちの１つまたは複数の態様、あるいは図７を参照しながら説明された装置７１５の態様の一例であり得る。装置８１５はまた、プロセッサであるか、またはそれを含み得る。装置８１５は、受信機８１０、ワイヤレス通信マネージャ８２０、または送信機８３０を含み得る。これらの構成要素の各々は互いと通信していることがある。
【００８０】
[0095]装置８１５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００８１】
[0096]いくつかの例では、受信機８１０は、いくつかの無線周波数スペクトル帯域上での送信を受信するように動作可能な少なくとも１つのＲＦ受信機など、少なくとも１つのＲＦ受信機を含み得る。いくつかの例では、無線周波数スペクトル帯域のうちの１つまたは複数が、たとえば、図１、図２、図３、または図４を参照しながら説明されたように、ＬＴＥ／ＬＴＥ−Ａ通信のために使用され得る。受信機８１０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を受信するために使用され得る。
【００８２】
[0097]いくつかの例では、送信機８３０は、いくつかの無線周波数スペクトル帯域上で送信するように動作可能な少なくとも１つのＲＦ送信機など、少なくとも１つのＲＦ送信機を含み得る。送信機８３０は、図１、図２、または図３を参照しながら説明されたワイヤレス通信システム１００、２００、または３００の１つまたは複数の通信リンクなど、ワイヤレス通信システムの１つまたは複数の通信リンク上で様々なタイプのデータまたは制御信号（すなわち、送信）を送信するために使用され得る。
【００８３】
[0098]いくつかの例では、ワイヤレス通信マネージャ８２０は、装置８１５のためのワイヤレス通信の１つまたは複数の態様を管理するために使用され得る。いくつかの例では、ワイヤレス通信マネージャ８２０の一部は、受信機８１０または送信機８３０に組み込まれるかまたはそれと共有され得る。いくつかの例では、ワイヤレス通信マネージャ８２０は、マッピングマネージャ８４５、地理的エリア識別器８５０、無線周波数スペクトルモニタ８５５、ロケーション情報送信マネージャ８３５、またはロケーションメッセージ情報送信マネージャ８４０を含み得る。
【００８４】
[0099]マッピングマネージャ８４５は、（たとえば、基地局から）少なくとも１つのマッピングを受信するために使用され得る。いくつかの例では、少なくとも１つのマッピングは、少なくとも１つのサブフレームのセットに対する地理的エリアの第１のマッピング、またはＣ−ＲＮＴＩに対する地理的エリアの第２のマッピングを含み得る。いくつかの例では、第１のマッピングおよび／または第２のマッピングは、ＳＩＢ、または専用ＲＲＣシグナリング、またはそれらの組合せのうちの少なくとも１つ中で受信され得る。
【００８５】
[00100]地理的エリア識別器８５０は、装置８１５を含む車両のロケーションに関連する地理的エリアを識別するために使用され得る。
【００８６】
[00101]無線周波数スペクトルモニタ８５５は、地理的エリアにマッピングされた少なくとも１つのサブフレームのセット中で送信を監視するために使用され得る。追加または代替として、無線周波数スペクトルモニタ８５５は、地理的エリアにマッピングされた少なくとも１つのＣ−ＲＮＴＩに関連する送信を監視するために使用され得る。
【００８７】
[00102]ロケーション情報送信マネージャ８３５は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）装置８１５から基地局にロケーション情報を送信するために使用され得る。
【００８８】
[00103]ターゲットブロードキャスト範囲送信マネージャ８６０は、基地局にロケーションメッセージのためのターゲットブロードキャスト範囲を送信するために使用され得る。
【００８９】
[00104]ロケーションメッセージ情報送信マネージャ８４０は、装置８１５から基地局にロケーションメッセージ情報を送信するために使用され得る。ロケーションメッセージ情報は、車両に関連するロケーションメッセージのコンテンツ、またはロケーションメッセージのタイプ、またはそれらの組合せのうちの少なくとも１つを含み得る。いくつかの例では、ロケーション情報送信マネージャ８１５、ターゲットブロードキャスト範囲送信マネージャ８６０、および／またはロケーションメッセージ情報マネージャ８４０は、それぞれ、ロケーション情報、ターゲットブロードキャスト範囲、および／またはロケーションメッセージ情報を同じサブフレーム中で送信するために使用され得る。
【００９０】
[00105]図９は、本開示の様々な態様による、ワイヤレス通信において使用するための基地局９０５（たとえば、ｅＮＢの一部または全部を形成する基地局）のブロック図９００を示す。いくつかの例では、基地局９０５は、図１、図２、または図３を参照しながら説明された基地局１０５、２０５、２０５−ａ、２０５−ｂ、３０５、３０５−ａ、または３０５−ｂの１つまたは複数の態様、あるいは図５または図６を参照しながら説明された装置５０５または６０５のうちの１つまたは複数の態様の一例であり得る。基地局９０５は、図１、図２、図３、図４、図５、または図６を参照しながら説明された基地局の技法および機能のうちの少なくともいくつかを実装するかまたは可能にするように構成され得る。
【００９１】
[00106]基地局９０５は、基地局プロセッサ９１０、基地局メモリ９２０、（（１つまたは複数の）基地局トランシーバ９５０によって表される）少なくとも１つの基地局トランシーバ、（（１つまたは複数の）基地局アンテナ９５５によって表される）少なくとも１つの基地局アンテナ、または基地局ワイヤレス通信マネージャ９６０を含み得る。基地局９０５はまた、基地局コミュニケータ９３０またはネットワークコミュニケータ９４０のうちの１つまたは複数を含み得る。これらの構成要素の各々は、１つまたは複数のバス９３５上で、直接または間接的に、互いと通信していることがある。
【００９２】
[00107]基地局メモリ９２０は、ランダムアクセスメモリ（ＲＡＭ）または読取り専用メモリ（ＲＯＭ）を含み得る。基地局メモリ９２０は、実行されたとき、たとえば、車両からロケーション情報を受信することと、ロケーション情報に少なくとも部分的に基づいて、車両に関連するロケーションメッセージをブロードキャストすべきセルを識別することと、ロケーションメッセージのブロードキャストに関して、他の基地局と通信することとを含む、ワイヤレス通信に関係する、本明細書で説明される様々な機能を基地局プロセッサ９１０に実行させるように構成された命令を含んでいる、コンピュータ可読、コンピュータ実行可能コード９２５を記憶し得る。代替的に、コンピュータ実行可能コード９２５は、基地局プロセッサ９１０によって直接的に実行可能ではないが、（たとえば、コンパイルされ、実行されたとき）本明細書で説明される機能のうちのいくつかを基地局９０５に実行させるように構成され得る。
【００９３】
[00108]基地局プロセッサ９１０は、インテリジェントハードウェアデバイス、たとえば、中央処理ユニット（ＣＰＵ）、マイクロコントローラ、ＡＳＩＣなどを含み得る。基地局プロセッサ９１０は、（１つまたは複数の）基地局トランシーバ９５０、基地局コミュニケータ９３０、またはネットワークコミュニケータ９４０を通して受信された情報を処理し得る。基地局プロセッサ９１０はまた、（１つまたは複数の）アンテナ９５５を通した送信のために（１つまたは複数の）トランシーバ９５０に送られるべき情報、１つまたは複数の他の基地局（たとえば、基地局９０５−ａおよび基地局９０５−ｂ）への送信のために基地局コミュニケータ９３０に送られるべき情報、または図１を参照しながら説明されたコアネットワーク１３０の１つまたは複数の態様の一例であり得る、コアネットワーク９４５への送信のためにネットワークコミュニケータ９４０に送られるべき情報を処理し得る。基地局プロセッサ９１０は、単独で、または基地局ワイヤレス通信マネージャ９６０とともに、いくつかの無線周波数スペクトル帯域上で通信すること（またはそれの上での通信を管理すること）の様々な態様を扱い得る。
【００９４】
[00109]（１つまたは複数の）基地局トランシーバ９５０は、パケットを変調し、変調されたパケットを送信のために（１つまたは複数の）基地局アンテナ９５５に与え、（１つまたは複数の）基地局アンテナ９５５から受信されたパケットを復調するように構成されたモデムを含み得る。（１つまたは複数の）基地局トランシーバ９５０は、いくつかの例では、１つまたは複数の基地局送信機および１つまたは複数の別個の基地局受信機として実装され得る。（１つまたは複数の）基地局トランシーバ９５０は、いくつかの無線周波数スペクトル帯域上での通信をサポートし得る。（１つまたは複数の）基地局トランシーバ９５０は、（１つまたは複数の）アンテナ９５５を介して、図１を参照しながら説明されたＵＥ１１５のうちの１つまたは複数、図１または図２を参照しながら説明された車両１３５または２３５のうちの１つまたは複数、あるいは図７または図８を参照しながら説明された装置７１５または８１５のうちの１つまたは複数など、１つまたは複数のＵＥ、車両、または装置と双方向に通信するように構成され得る。基地局９０５は、たとえば、複数の基地局アンテナ９５５（たとえば、アンテナアレイ）を含み得る。基地局９０５は、ネットワークコミュニケータ９４０を通してコアネットワーク９４５と通信し得る。基地局９０５はまた、基地局コミュニケータ９３０を使用して、基地局９０５−ａおよび基地局９０５−ｂなど、他の基地局と通信し得る。
【００９５】
[00110]基地局ワイヤレス通信マネージャ９６０は、いくつかの無線周波数スペクトル帯域上でのワイヤレス通信に関係する図１、図２、図３、図４、図５、または図６を参照しながら説明された技法または機能の一部または全部を実行または制御するように構成され得る。基地局ワイヤレス通信マネージャ９６０、またはそれの部分はプロセッサを含み得、あるいは基地局ワイヤレス通信マネージャ９６０の機能の一部または全部は、基地局プロセッサ９１０によって実行されるか、または基地局プロセッサ９１０とともに実行され得る。いくつかの例では、基地局ワイヤレス通信マネージャ９６０は、図５または図６を参照しながら説明されたワイヤレス通信マネージャ５２０または６２０の一例であり得る。
【００９６】
[00111]図１０は、本開示の様々な態様による、ワイヤレス通信において使用するための車両１０３５のブロック図１０００を示す。車両１０３５は、いくつかの例では、車両モビリティと、リモート基地局または他の車両とのワイヤレス通信のために使用される構成要素の電力供給とを可能にするためのエンジンまたはバッテリを有し得る。いくつかの例では、車両１０３５は、図１または図２を参照しながら説明された車両１３５または２３５のうちの１つまたは複数の態様、あるいは図７または図８を参照しながら説明された装置７１５または８１５の態様の一例であり得る。車両１０３５は、図１、図２、図３、図４、図７、または図８を参照しながら説明された車両または装置の技法および機能のうちの少なくともいくつかを実装するように構成され得る。
【００９７】
[00112]車両１０３５は、車両プロセッサ１０１０、車両メモリ１０２０、（（１つまたは複数の）車両トランシーバ１０３０によって表される）少なくとも１つの車両トランシーバ、（（１つまたは複数の）車両アンテナ１０４０によって表される）少なくとも１つの車両アンテナ、または車両ワイヤレス通信マネージャ１０５０を含み得る。これらの構成要素の各々は、１つまたは複数のバス１０４５上で、直接または間接的に、互いと通信していることがある。
【００９８】
[00113]車両メモリ１０２０はＲＡＭまたはＲＯＭを含み得る。車両メモリ１０２０は、実行されたとき、たとえば、基地局に、ロケーション情報、ターゲットブロードキャスト範囲、またはロケーションメッセージ情報を送信することと、あるいは基地局または他の車両から受信されたメッセージを監視することとを含む、ワイヤレス通信に関係する本明細書で説明される様々な機能を車両プロセッサ１０１０に実行させるように構成された命令を含んでいるコンピュータ可読、コンピュータ実行可能コード１０２５を記憶し得る。代替的に、コンピュータ実行可能コード１０２５は、車両プロセッサ１０１０によって直接的に実行可能ではないが、（たとえば、コンパイルされ、実行されたとき）本明細書で説明される様々な機能を車両１０３５に実行させるように構成され得る。
【００９９】
[00114]車両プロセッサ１０１０は、インテリジェントハードウェアデバイス、たとえば、ＣＰＵ、マイクロコントローラ、ＡＳＩＣなどを含み得る。車両プロセッサ１０１０は、（１つまたは複数の）車両トランシーバ１０３０を通して受信された情報、または（１つまたは複数の）車両アンテナ１０４０を通した送信のために（１つまたは複数の）車両トランシーバ１０３０に送られるべき情報を処理し得る。車両プロセッサ１０１０は、単独で、または車両ワイヤレス通信マネージャ１０５０とともに、いくつかの無線周波数スペクトル帯域上で通信すること（またはそれの上での通信を管理すること）の様々な態様を扱い得る。
【０１００】
[00115]（１つまたは複数の）車両トランシーバ１０３０は、パケットを変調し、変調されたパケットを送信のために（１つまたは複数の）車両アンテナ１０４０に与え、（１つまたは複数の）車両アンテナ１０４０から受信されたパケットを復調するように構成されたモデムを含み得る。（１つまたは複数の）車両トランシーバ１０３０は、いくつかの例では、１つまたは複数の車両送信機および１つまたは複数の別個の車両受信機として実装され得る。（１つまたは複数の）車両トランシーバ１０３０は、いくつかの無線周波数スペクトル帯域上での通信をサポートし得る。（１つまたは複数の）車両トランシーバ１０３０は、（１つまたは複数の）車両アンテナ１０４０を介して、図１、図２、図３、または図９を参照しながら説明された基地局１０５、２０５、２０５−ａ、２０５−ｂ、３０５、３０５−ａ、３０５−ｂ、または９０５のうちの１つまたは複数、あるいは図５または図６を参照しながら説明された装置５０５または６０５のうちの１つまたは複数と双方向に通信するように構成され得る。車両１０３５は単一の車両アンテナを含み得るが、車両１０３５が複数の車両アンテナ１０４０を含み得る例があり得る。
【０１０１】
[00116]車両ワイヤレス通信マネージャ１０５０は、いくつかの無線周波数スペクトル帯域上でのワイヤレス通信に関係する図１、図２、図３、図４、図７、または図８を参照しながら説明された車両または装置の技法または機能の一部または全部を実行または制御するように構成され得る。車両ワイヤレス通信マネージャ１０５０、またはそれの部分はプロセッサを含み得、あるいは車両ワイヤレス通信マネージャ１０５０の機能の一部または全部は、車両プロセッサ１０１０によって実行されるか、または車両プロセッサ１０１０とともに実行され得る。いくつかの例では、車両ワイヤレス通信マネージャ１０５０は、図７または図８を参照しながら説明されたワイヤレス通信マネージャ７２０または８２０の一例であり得る。
【０１０２】
[00117]図１１は、本開示の様々な態様による、第１の基地局におけるワイヤレス通信のための方法１１００の一例を示すフローチャートである。明快のために、方法１１００は、図１、図２、図３、または図９を参照しながら説明された基地局１０５、２０５、２０５−ａ、２０５−ｂ、３０５、３０５−ａ、３０５−ｂ、または９０５のうちの１つまたは複数の態様、あるいは図５または図６を参照しながら説明された装置５０５または６０５のうちの１つまたは複数の態様に関して以下で説明される。いくつかの例では、第１の基地局が、以下で説明される機能を実行するように第１の基地局の機能要素を制御するためのコードの１つまたは複数のセットを実行し得る。追加または代替として、第１の基地局は、専用ハードウェアを使用して、以下で説明される機能のうちの１つまたは複数を実行し得る。
【０１０３】
[00118]ブロック１１０５において、方法１１００は、車両からロケーション情報を受信することを含み得る。いくつかの例では、ロケーション情報は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）車両から受信され得る。ブロック１１０５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明された車両情報マネージャ５３５または６３５、あるいは図５または図６を参照しながら説明されたロケーション情報マネージャ５４０または６４０を使用して実行され得る。
【０１０４】
[00119]ブロック１１１０において、方法１１００は、ロケーション情報に少なくとも部分的に基づいて、車両に関連するロケーションメッセージをブロードキャストすべき複数のセルを識別することを含み得る。複数のセルは、少なくとも、第１の基地局の第１のセルと第２の基地局の第２のセルとを含み得る。ブロック１１１０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図５または図６を参照しながら説明されたセル識別器５５０または６５０を使用して実行され得る。
【０１０５】
[00120]ブロック１１１５において、方法１１００は、ロケーションメッセージのブロードキャストに関して、少なくとも第２の基地局と通信することを含み得る。ブロック１１１５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図５または図６を参照しながら説明されたブロードキャストコーディネータ５５５または６５５を使用して実行され得る。
【０１０６】
[00121]したがって、方法１１００はワイヤレス通信を提供し得る。方法１１００は一実装形態にすぎないこと、および方法１１００の動作は、他の実装形態が可能であるように、並べ替えられるかまたは場合によっては変更され得ることに留意されたい。
【０１０７】
[00122]図１２は、本開示の様々な態様による、第１の基地局におけるワイヤレス通信のための方法１２００の一例を示すフローチャートである。明快のために、方法１２００は、図１、図２、図３、または図９を参照しながら説明された基地局１０５、２０５、２０５−ａ、２０５−ｂ、３０５、３０５−ａ、３０５−ｂ、または９０５のうちの１つまたは複数の態様、あるいは図５または図６を参照しながら説明された装置５０５または６０５のうちの１つまたは複数の態様に関して以下で説明される。いくつかの例では、第１の基地局が、以下で説明される機能を実行するように第１の基地局の機能要素を制御するためのコードの１つまたは複数のセットを実行し得る。追加または代替として、第１の基地局は、専用ハードウェアを使用して、以下で説明される機能のうちの１つまたは複数を実行し得る。
【０１０８】
[00123]ブロック１２０５において、方法１２００は、いくつかの隣接セルの各セルのロケーションおよびカバレージエリアを識別すること（その（１つまたは複数の）隣接セルが、第１の基地局の１つまたは複数のセル、および／または隣接基地局の１つまたは複数のセルを含み得る）を含み得る。ブロック１２０５における（１つまたは複数の）動作は、図５、図６、または図９を参照しながら説明されたワイヤレス通信マネージャ５２０もしくは６２０または基地局ワイヤレス通信マネージャ９６０、あるいは図６を参照しながら説明された隣接セル情報コレクタ６６０を使用して実行され得る。
【０１０９】
[00124]ブロック１２１０において、方法１２００は、車両からロケーション情報を受信することを含み得る。いくつかの例では、ロケーション情報は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）車両から受信され得る。ブロック１２１０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明された車両情報マネージャ５３５または６３５、あるいは図５または図６を参照しながら説明されたロケーション情報マネージャ５４０または６４０を使用して実行され得る。
【０１１０】
[00125]ブロック１２１５において、方法１２００は、車両から、ロケーションメッセージ情報を受信することを含み得る。ロケーションメッセージ情報は、車両に関連するロケーションメッセージのコンテンツ、またはロケーションメッセージのタイプ、またはそれらの組合せのうちの少なくとも１つを含み得る。いくつかの例では、ロケーションメッセージのタイプは、ロケーションメッセージをブロードキャストするための指示から推測され得、その指示は車両から受信され得る。いくつかの例では、指示はシングルビットを含み得る。いくつかの例では、指示は、ロケーション情報（たとえば、ブロック１２１０において受信されるロケーション情報）の送信であり得る。ブロック１２１５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明された車両情報マネージャ５３５または６３５、あるいは図６を参照しながら説明されたロケーションメッセージ情報マネージャ６６５を使用して実行され得る。
【０１１１】
[00126]ブロック１２２０において、方法１２００は、ロケーションメッセージのためのターゲットブロードキャスト範囲を識別することを含み得る。いくつかの例では、ターゲットブロードキャスト範囲は、ロケーションメッセージのタイプ、または車両のタイプ、または車両からターゲットブロードキャスト範囲を受信すること、またはそれらの組合せに少なくとも部分的に基づいて識別され得る。ブロック１２２０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明された車両情報マネージャ５３５または６３５、あるいは図６を参照しながら説明されたターゲットブロードキャスト範囲識別器６７０を使用して実行され得る。
【０１１２】
[00127]ブロック１２２５において、方法１２００は、ロケーション情報、ターゲットブロードキャスト範囲、ならびに／またはいくつかの隣接セルのうちの少なくとも１つのロケーションおよびカバレージエリアに少なくとも部分的に基づいて、ロケーションメッセージをブロードキャストすべき複数のセルを識別することを含み得る。複数のセルは、少なくとも、第１の基地局の第１のセルと第２の基地局の第２のセルとを含み得る。ブロック１２２５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図５または図６を参照しながら説明されたセル識別器５５０または６５０を使用して実行され得る。
【０１１３】
[00128]ブロック１２３０において、方法１２００は、ロケーションメッセージのブロードキャストに関して、少なくとも第２の基地局と通信することを含み得る。いくつかの例では、通信することは、少なくとも第２の基地局に、ロケーションメッセージのコンテンツ、またはロケーションメッセージのタイプ、またはロケーション情報、または複数のセルの指示、またはそれらの組合せを送信することを含み得る。ブロック１２３０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図５または図６を参照しながら説明されたブロードキャストコーディネータ５５５または６５５を使用して実行され得る。
【０１１４】
[00129]ブロック１２３５において、方法１２００は、車両からロケーションメッセージ情報を受信した後に、所定の数の時間単位の間、ロケーションメッセージをブロードキャストすることを控えることを随意に含み得る。ブロック１２３５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図６を参照しながら説明されたブロードキャストメッセージ遅延タイマー６７５を使用して実行され得る。
【０１１５】
[00130]ブロック１２４０において、方法１２００は、ロケーションメッセージをブロードキャストすることを含み得る。いくつかの例では、ブロック１２４０における（１つまたは複数の）動作は、複数のセルの各セルに知られているメッセージ順序に従って、地理的エリア中にある複数の車両に関係する複数のロケーションメッセージをブロードキャストすることを含み得る。いくつかの例では、メッセージ順序は、地理的エリア内の車両ロケーションの順序付け、複数のロケーションメッセージのロケーションメッセージが送信のためにキューイングされる時間順序、ロケーションメッセージが複数の車両から受信される時間順序、またはそれらの組合せに少なくとも部分的に基づき得る。ブロック１２４０における（１つまたは複数の）動作は、図５、図６、または図９を参照しながら説明されたワイヤレス通信マネージャ５２０もしくは６２０または基地局ワイヤレス通信マネージャ９６０、あるいは図５または図６を参照しながら説明されたメッセージブロードキャストマネージャ５４５または６４５を使用して実行され得る。
【０１１６】
[00131]したがって、方法１２００はワイヤレス通信を提供し得る。方法１２００は一実装形態にすぎないこと、および方法１２００の動作は、他の実装形態が可能であるように、並べ替えられるかまたは場合によっては変更され得ることに留意されたい。
【０１１７】
[00132]図１３は、本開示の様々な態様による、第１の基地局におけるワイヤレス通信のための方法１３００の一例を示すフローチャートである。明快のために、方法１３００は、図１、図２、図３、または図９を参照しながら説明された基地局１０５、２０５、２０５−ａ、２０５−ｂ、３０５、３０５−ａ、３０５−ｂ、または９０５のうちの１つまたは複数の態様、あるいは図５または図６を参照しながら説明された装置５０５または６０５のうちの１つまたは複数の態様に関して以下で説明される。いくつかの例では、第１の基地局が、以下で説明される機能を実行するように第１の基地局の機能要素を制御するためのコードの１つまたは複数のセットを実行し得る。追加または代替として、第１の基地局は、専用ハードウェアを使用して、以下で説明される機能のうちの１つまたは複数を実行し得る。
【０１１８】
[00133]ブロック１３０５において、方法１３００は、少なくとも１つのサブフレームのセットに対する地理的エリアのマッピングを（たとえば、車両に）ブロードキャストすることを含み得る。いくつかの例では、マッピングは、ＳＩＢ、専用ＲＲＣシグナリング、またはそれらの組合せのうちの少なくとも１つ中でブロードキャストされ得る。ブロック１３０５における（１つまたは複数の）動作は、図５、図６、または図９を参照しながら説明されたワイヤレス通信マネージャ５２０もしくは６２０または基地局ワイヤレス通信マネージャ９６０、あるいは図６を参照しながら説明されたマッピングブロードキャスター６８０を使用して実行され得る。
【０１１９】
[00134]ブロック１３１０において、方法１３００は、車両からロケーション情報を受信することを含み得る。いくつかの例では、ロケーション情報は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）車両から受信され得る。ブロック１３１０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明された車両情報マネージャ５３５または６３５、あるいは図５または図６を参照しながら説明されたロケーション情報マネージャ５４０または６４０を使用して実行され得る。
【０１２０】
[00135]ブロック１３１５において、方法１３００は、車両から、ロケーションメッセージ情報を受信することを含み得る。ロケーションメッセージ情報は、車両に関連するロケーションメッセージのコンテンツ、またはロケーションメッセージのタイプ、またはそれらの組合せのうちの少なくとも１つを含み得る。いくつかの例では、ロケーションメッセージのタイプは、ロケーションメッセージをブロードキャストするための指示から推測され得、その指示は車両から受信され得る。いくつかの例では、指示はシングルビットを含み得る。いくつかの例では、指示は、ロケーション情報（たとえば、ブロック１３１０において受信されるロケーション情報）の送信であり得る。ブロック１３１５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明された車両情報マネージャ５３５または６３５、あるいは図６を参照しながら説明されたロケーションメッセージ情報マネージャ６６５を使用して実行され得る。
【０１２１】
[00136]ブロック１３２０において、方法１３００は、ロケーション情報に少なくとも部分的に基づいて、車両に関連するロケーションメッセージをブロードキャストすべき複数のセルを識別することを含み得る。いくつかの例では、複数のセルは、ロケーションメッセージのためのターゲットブロードキャスト範囲、ならびに／または、少なくとも１つの隣接セル（たとえば、第１の基地局の第１のセルの少なくとも１つの隣接セル、その（１つまたは複数の）隣接セルは、第１の基地局の１つまたは複数のセル、および／または隣接基地局の１つまたは複数のセルを含み得る）のロケーションおよびカバレージエリア、にも少なくとも部分的に基づいて識別され得る。複数のセルは、少なくとも、第１の基地局の第１のセルと第２の基地局の第２のセルとを含み得る。ブロック１３２０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図５または図６を参照しながら説明されたセル識別器５５０または６５０を使用して実行され得る。
【０１２２】
[00137]ブロック１３２５において、方法１３００は、ロケーションメッセージが複数のセルの各セルからブロードキャストされるのと同じ時間に、単一周波数ネットワーク上でロケーションメッセージをブロードキャストすべき少なくとも１つのサブフレームのセットを識別することを含み得る。いくつかの例では、少なくとも１つのサブフレームのセットは、少なくとも１つのＬＴＥ／ＬＴＥ−Ａ  ＭＢＳＦＮサブフレームのセットを含み得る。いくつかの例では、少なくとも１つのサブフレームのセットを識別することは、ロケーション情報に関連する地理的エリアを識別することと、地理的エリアを使用して、少なくとも１つのサブフレームのセットに対する地理的エリアのマッピングをインデックス付けすることとを含み得る。ブロック１３２０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図６を参照しながら説明されたサブフレーム識別器６８５を使用して実行され得る。
【０１２３】
[00138]ブロック１３３０において、方法１３００は、ロケーションメッセージのブロードキャストに関して、少なくとも第２の基地局と通信することを含み得る。いくつかの例では、通信することは、少なくとも第２の基地局に、ロケーションメッセージのコンテンツ、またはロケーションメッセージのタイプ、またはロケーション情報、または複数のセルの指示、またはそれらの組合せを送信することを含み得る。ブロック１３３０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図５または図６を参照しながら説明されたブロードキャストコーディネータ５５５または６５５を使用して実行され得る。
【０１２４】
[00139]ブロック１３３５において、方法１３００は、車両からロケーションメッセージ情報を受信した後に、所定の数の時間単位の間、ロケーションメッセージをブロードキャストすることを控えることを随意に含み得る。ブロック１３３５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図６を参照しながら説明されたブロードキャストメッセージ遅延タイマー６７５を使用して実行され得る。
【０１２５】
[00140]ブロック１３４０において、方法１３００は、少なくとも１つのサブフレーム中のサブフレームのＰＤＣＣＨ上でロケーションメッセージのためのスケジューリング情報を送信することを含み得る。スケジューリング情報は、ロケーションメッセージを車両にブロードキャストするために予約されたＣ−ＲＮＴＩに関連し得る。いくつかの例では、ブロック１３４０における（１つまたは複数の）動作は、サブフレームのＰＤＣＣＨ上で少なくとも１つの非車両データ送信のためのスケジューリング情報を送信することをも含み得る。少なくとも１つの非車両データ送信のためのスケジューリング情報は、ロケーションメッセージを車両にブロードキャストするために予約されたＣ−ＲＮＴＩに関連しないことがある（ただし、１つまたは複数の他のＣ−ＲＮＴＩに関連し得る）。ブロック１３４０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図６を参照しながら説明されたメッセージスケジューラ６９０を使用して実行され得る。
【０１２６】
[00141]ブロック１３４５において、方法１３００は、ロケーションメッセージをブロードキャストすることを含み得る。いくつかの例では、ブロック１３４５における（１つまたは複数の）動作は、複数のセルの各セルに知られているメッセージ順序に従って、地理的エリア中にある複数の車両に関係する複数のロケーションメッセージをブロードキャストすることを含み得る。いくつかの例では、メッセージ順序は、地理的エリア内の車両ロケーションの順序付け、複数のロケーションメッセージのロケーションメッセージが送信のためにキューイングされる時間順序、ロケーションメッセージが複数の車両から受信される時間順序、またはそれらの組合せに少なくとも部分的に基づき得る。ブロック１３４５における（１つまたは複数の）動作は、図５、図６、または図９を参照しながら説明されたワイヤレス通信マネージャ５２０もしくは６２０または基地局ワイヤレス通信マネージャ９６０、あるいは図５または図６を参照しながら説明されたメッセージブロードキャストマネージャ５４５または６４５を使用して実行され得る。
【０１２７】
[00142]したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１２８】
[00143]図１４は、本開示の様々な態様による、第１の基地局におけるワイヤレス通信のための方法１４００の一例を示すフローチャートである。明快のために、方法１４００は、図１、図２、図３、または図９を参照しながら説明された基地局１０５、２０５、２０５−ａ、２０５−ｂ、３０５、３０５−ａ、３０５−ｂ、または９０５のうちの１つまたは複数の態様、あるいは図５または図６を参照しながら説明された装置５０５または６０５のうちの１つまたは複数の態様に関して以下で説明される。いくつかの例では、第１の基地局が、以下で説明される機能を実行するように第１の基地局の機能要素を制御するためのコードの１つまたは複数のセットを実行し得る。追加または代替として、第１の基地局は、専用ハードウェアを使用して、以下で説明される機能のうちの１つまたは複数を実行し得る。
【０１２９】
[00144]ブロック１４０５において、方法１４００は、Ｃ−ＲＮＴＩに対する地理的エリアのマッピングを（たとえば、車両に）ブロードキャストすることを含み得る。いくつかの例では、マッピングは、ＳＩＢ、または専用ＲＲＣシグナリング、またはそれらの組合せのうちの少なくとも１つ中でブロードキャストされ得る。ブロック１４０５における（１つまたは複数の）動作は、図５、図６、または図９を参照しながら説明されたワイヤレス通信マネージャ５２０もしくは６２０または基地局ワイヤレス通信マネージャ９６０、あるいは図６を参照しながら説明されたマッピングブロードキャスター６８０を使用して実行され得る。
【０１３０】
[00145]ブロック１４１０において、方法１４００は、車両からロケーション情報を受信することを含み得る。いくつかの例では、ロケーション情報は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）車両から受信され得る。ブロック１４１０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明された車両情報マネージャ５３５または６３５、あるいは図５または図６を参照しながら説明されたロケーション情報マネージャ５４０または６４０を使用して実行され得る。
【０１３１】
[00146]ブロック１４１５において、方法１４００は、車両から、ロケーションメッセージ情報を受信することを含み得る。ロケーションメッセージ情報は、車両に関連するロケーションメッセージのコンテンツ、またはロケーションメッセージのタイプ、またはそれらの組合せのうちの少なくとも１つを含み得る。いくつかの例では、ロケーションメッセージのタイプは、ロケーションメッセージをブロードキャストするための指示から推測され得、その指示は車両から受信され得る。いくつかの例では、指示はシングルビットを含み得る。いくつかの例では、指示は、ロケーション情報（たとえば、ブロック１４１０において受信されるロケーション情報）の送信であり得る。ブロック１４１５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明された車両情報マネージャ５３５または６３５、あるいは図６を参照しながら説明されたロケーションメッセージ情報マネージャ６６５を使用して実行され得る。
【０１３２】
[00147]ブロック１４２０において、方法１４００は、ロケーション情報に少なくとも部分的に基づいて、車両に関連するロケーションメッセージをブロードキャストすべき複数のセルを識別することを含み得る。いくつかの例では、複数のセルは、ロケーションメッセージのためのターゲットブロードキャスト範囲ならびに／または少なくとも１つの隣接セル（たとえば、第１の基地局の第１のセルの少なくとも１つの隣接セル、その（１つまたは複数の）隣接セルは、第１の基地局の１つまたは複数のセル、および／または隣接基地局の１つまたは複数のセルを含み得る）のロケーションおよびカバレージエリアにも少なくとも部分的に基づいて識別され得る。複数のセルは、少なくとも、第１の基地局の第１のセルと第２の基地局の第２のセルとを含み得る。ブロック１４２０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図５または図６を参照しながら説明されたセル識別器５５０または６５０を使用して実行され得る。
【０１３３】
[00148]ブロック１４２５において、方法１４００は、ロケーション情報に関連する地理的エリアを識別することを含み得る。ブロック１４３０において、方法１４００は、地理的エリアを使用して、Ｃ−ＲＮＴＩに対する地理的エリアのマッピングをインデックス付けすることを含み得る。ブロック１４２５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図６を参照しながら説明されたＣ−ＲＮＴＩ識別器６９５を使用して実行され得る。
【０１３４】
[00149]ブロック１４３５において、方法１４００は、ロケーションメッセージのブロードキャストに関して、少なくとも第２の基地局と通信することを含み得る。いくつかの例では、通信することは、少なくとも第２の基地局に、ロケーションメッセージのコンテンツ、またはロケーションメッセージのタイプ、またはロケーション情報、または複数のセルの指示、またはそれらの組合せを送信することを含み得る。ブロック１４３５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図５または図６を参照しながら説明されたブロードキャストコーディネータ５５５または６５５を使用して実行され得る。
【０１３５】
[00150]ブロック１４４０において、方法１４００は、車両からロケーションメッセージ情報を受信した後に、所定の数の時間単位の間、ロケーションメッセージをブロードキャストすることを控えることを随意に含み得る。ブロック１４４０における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図６を参照しながら説明されたブロードキャストメッセージ遅延タイマー６７５を使用して実行され得る。
【０１３６】
[00151]ブロック１４４５において、方法１４００は、サブフレームのＰＤＣＣＨ上でロケーションメッセージのためのスケジューリング情報を送信することを含み得る。いくつかの例では、スケジューリング情報は、地理的エリアにマッピングされたＣ−ＲＮＴＩに関連し得る。いくつかの例では、ブロック１４４５における（１つまたは複数の）動作は、サブフレームのＰＤＣＣＨ上で少なくとも１つの非車両データ送信のためのスケジューリング情報を送信することをも含み得る。少なくとも１つの非車両データ送信のためのスケジューリング情報は、ロケーションメッセージを車両にブロードキャストするために予約されたＣ−ＲＮＴＩに関連しないことがある（ただし、１つまたは複数の他のＣ−ＲＮＴＩに関連し得る）。ブロック１４４５における（１つまたは複数の）動作は、図５、図６、または図９を参照しながら説明されたワイヤレス通信マネージャ５２０もしくは６２０または基地局ワイヤレス通信マネージャ９６０、図５または図６を参照しながら説明されたメッセージブロードキャストマネージャ５４５または６４５、あるいは図６を参照しながら説明されたメッセージスケジューラ６９０を使用して実行され得る。
【０１３７】
[00152]ブロック１４５０において、方法１４００は、ロケーションメッセージをブロードキャストすることを含み得る。いくつかの例では、ブロック１４５０における（１つまたは複数の）動作は、複数のセルの各セルに知られているメッセージ順序に従って、地理的エリア中にある複数の車両に関係する複数のロケーションメッセージをブロードキャストすることを含み得る。いくつかの例では、メッセージ順序は、地理的エリア内の車両ロケーションの順序付け、複数のロケーションメッセージのロケーションメッセージが送信のためにキューイングされる時間順序、ロケーションメッセージが複数の車両から受信される時間順序、またはそれらの組合せに少なくとも部分的に基づき得る。ブロック１４５０における（１つまたは複数の）動作は、図５、図６、または図９を参照しながら説明されたワイヤレス通信マネージャ５２０もしくは６２０または基地局ワイヤレス通信マネージャ９６０、あるいは図５または図６を参照しながら説明されたメッセージブロードキャストマネージャ５４５または６４５を使用して実行され得る。
【０１３８】
[00153]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１３９】
[00154]いくつかの例では、図１１、図１２、図１３、または図１４を参照しながら説明された方法１１００、１２００、１３００、または１４００の態様が組み合わせられ得る。
【０１４０】
[00155]図１５は、本開示の様々な態様による、車両におけるワイヤレス通信のための方法１５００の一例を示すフローチャートである。明快のために、方法１５００は、図１、図２、または図１０を参照しながら説明された車両１３５、２３５、または１０３５のうちの１つまたは複数の態様、あるいは図７または図８を参照しながら説明された装置７１５または８１５のうちの１つまたは複数の態様に関して以下で説明される。いくつかの例では、車両が、以下で説明される機能を実行するように車両の機能要素を制御するためのコードの１つまたは複数のセットを実行し得る。追加または代替として、車両は、専用ハードウェアを使用して、以下で説明される機能のうちの１つまたは複数を実行し得る。
【０１４１】
[00156]ブロック１５０５において、方法１５００は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）車両から基地局にロケーション情報を送信することを含み得る。ブロック１５０５における（１つまたは複数の）動作は、図７、図８、または図１０を参照しながら説明されたワイヤレス通信マネージャ７２０もしくは８２０または車両ワイヤレス通信マネージャ１０５０、あるいは図７または図８を参照しながら説明されたロケーション情報送信マネージャ７１５または８１５を使用して実行され得る。
【０１４２】
[00157]ブロック１５１０において、方法１５００は、車両から基地局にロケーションメッセージ情報を送信することを含み得る。ロケーションメッセージ情報は、車両に関連するロケーションメッセージのコンテンツ、またはロケーションメッセージのタイプ、またはそれらの組合せのうちの少なくとも１つを含み得る。ブロック１５１０における（１つまたは複数の）動作は、図７、図８、または図１０を参照しながら説明されたワイヤレス通信マネージャ７２０もしくは８２０または車両ワイヤレス通信マネージャ１０５０、あるいは図７または図８を参照しながら説明されたロケーションメッセージ情報送信マネージャ７４０または８４０を使用して実行され得る。
【０１４３】
[00158]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１４４】
[00159]図１６は、本開示の様々な態様による、車両におけるワイヤレス通信のための方法１６００の一例を示すフローチャートである。明快のために、方法１６００は、図１、図２、または図１０を参照しながら説明された車両１３５、２３５、または１０３５のうちの１つまたは複数の態様、あるいは図７または図８を参照しながら説明された装置７１５または８１５のうちの１つまたは複数の態様に関して以下で説明される。いくつかの例では、車両が、以下で説明される機能を実行するように車両の機能要素を制御するためのコードの１つまたは複数のセットを実行し得る。追加または代替として、車両は、専用ハードウェアを使用して、以下で説明される機能のうちの１つまたは複数を実行し得る。
【０１４５】
[00160]ブロック１６０５において、方法１６００は、（たとえば、基地局から）少なくとも１つのマッピングを受信することを含み得る。いくつかの例では、少なくとも１つのマッピングは、少なくとも１つのサブフレームのセットに対する地理的エリアの第１のマッピング、またはＣ−ＲＮＴＩに対する地理的エリアの第２のマッピングを含み得る。いくつかの例では、第１のマッピングおよび／または第２のマッピングは、ＳＩＢ、または専用ＲＲＣシグナリング、またはそれらの組合せのうちの少なくとも１つ中で受信され得る。ブロック１６０５における（１つまたは複数の）動作は、図７、図８、または図１０を参照しながら説明されたワイヤレス通信マネージャ７２０もしくは８２０または車両ワイヤレス通信マネージャ１０５０、あるいは図８を参照しながら説明されたマッピングマネージャ８４５を使用して実行され得る。
【０１４６】
[00161]ブロック１６１０において、方法１６００は、車両のロケーションに関連する地理的エリアを識別することを含み得る。ブロック１６１０における（１つまたは複数の）動作は、図７、図８、または図１０を参照しながら説明されたワイヤレス通信マネージャ７２０もしくは８２０または車両ワイヤレス通信マネージャ１０５０、あるいは図８を参照しながら説明された地理的エリア識別器８５０を使用して実行され得る。
【０１４７】
[00162]ブロック１６１５において、方法１６００は、地理的エリアにマッピングされた少なくとも１つのサブフレームのセット中で送信を監視することを含み得る。追加または代替として、方法１６００は、地理的エリアにマッピングされた少なくとも１つのＣ−ＲＮＴＩに関連する送信を監視することを含み得る。ブロック１６１５における（１つまたは複数の）動作は、図７、図８、または図１０を参照しながら説明されたワイヤレス通信マネージャ７２０もしくは８２０または車両ワイヤレス通信マネージャ１０５０、あるいは図８を参照しながら説明された無線周波数スペクトルモニタ８５５を使用して実行され得る。
【０１４８】
[00163]ブロック１６２０において、方法１６００は、ＡＳレイヤ上で（たとえば、ＭＡＣレイヤ上で（たとえば、ＭＡＣレイヤ制御要素を使用して）、またはＰＤＣＰレイヤ上で、またはそれらの組合せ上で）車両から基地局にロケーション情報を送信することを含み得る。ブロック１６２０における（１つまたは複数の）動作は、図７、図８、または図１０を参照しながら説明されたワイヤレス通信マネージャ７２０もしくは８２０または車両ワイヤレス通信マネージャ１０５０、あるいは図７または図８を参照しながら説明されたロケーション情報送信マネージャ７１５または８１５を使用して実行され得る。
【０１４９】
[00164]ブロック１６２５において、方法１６００は、基地局にロケーションメッセージのためのターゲットブロードキャスト範囲を送信することを含み得る。ブロック１６２５における（１つまたは複数の）動作は、図７、図８、または図１０を参照しながら説明されたワイヤレス通信マネージャ７２０もしくは８２０または車両ワイヤレス通信マネージャ１０５０、あるいは図８を参照しながら説明されたターゲットブロードキャスト範囲送信マネージャ８６０を使用して実行され得る。
【０１５０】
[00165]ブロック１６３０において、方法１６００は、車両から基地局にロケーションメッセージ情報を送信することを含み得る。ロケーションメッセージ情報は、車両に関連するロケーションメッセージのコンテンツ、またはロケーションメッセージのタイプ、またはそれらの組合せのうちの少なくとも１つを含み得る。いくつかの例では、ロケーション情報、ターゲットブロードキャスト範囲、および／またはロケーションメッセージ情報は同じサブフレーム中で送信され得る。ブロック１６３０における（１つまたは複数の）動作は、図７、図８、または図１０を参照しながら説明されたワイヤレス通信マネージャ７２０もしくは８２０または車両ワイヤレス通信マネージャ１０５０、あるいは図７または図８を参照しながら説明されたロケーションメッセージ情報送信マネージャ７４０または８４０を使用して実行され得る。
【０１５１】
[00166]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１５２】
[00167]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、ＣＤＭＡ２０００  １Ｘ、１Ｘなどと呼ばれることがある。ＩＳ−８５６（ＴＩＡ−８５６）は、ＣＤＭＡ２０００  １ｘＥＶ−ＤＯ、高速パケットデータ（ＨＲＰＤ：High Rate Packet Data）などと呼ばれることがある。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ  ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、３ＧＰＰと称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、無認可または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１５３】
[00168]添付の図面に関して上記に記載された詳細な説明は、例について説明しており、実装され得るまたは特許請求の範囲内に入る例のすべてを表すとは限らない。「例」および「例示的」という語は、この説明で使用されるとき、「例、事例、または例示の働きをすること」を意味し、「好ましい」または「他の例よりも有利な」を意味しない。詳細な説明は、本開示の理解を与えるための具体的な詳細を含む。ただし、これらの技法は、これらの具体的な詳細なしに実施され得る。いくつかの事例では、本開示の概念を不明瞭にすることを回避するために、よく知られている構造および装置がブロック図の形式で示されている。
【０１５４】
[00169]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５５】
[00170]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１５６】
[00171]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する構成要素はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「または」という用語は、列挙された項目のうちのいずれか１つが単独で採用され得ること、または列挙された項目のうちの２つ以上の任意の組合せが採用され得ることを意味する。たとえば、組成が構成要素Ａ、Ｂ、またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１５７】
[00172]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５８】
[00173]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の技法に合致する最も広い範囲を与えられるべきである。
【図１】
2020010351.tif 000003
【図２】
2020010351.tif 000004
【図３】
2020010351.tif 000005
【図４】
2020010351.tif 000006
【図５】
2020010351.tif 000007
【図６】
2020010351.tif 000008
【図７】
2020010351.tif 000009
【図８】
2020010351.tif 000010
【図９】
2020010351.tif 000011
【図１０】
2020010351.tif 000012
【図１１】
2020010351.tif 000013
【図１２】
2020010351.tif 000014
【図１３】
2020010351.tif 000015
【図１４】
2020010351.tif 000016
【図１５】
2020010351.tif 000017
【図１６】
2020010351.tif 000018
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
車両におけるワイヤレス通信のための方法であって、
アクセス層（ＡＳ）レイヤ上で前記車両から基地局にロケーション情報を送信することと、
前記基地局にロケーションメッセージのためのターゲットブロードキャスト範囲を送信することと、
前記基地局にロケーションメッセージ情報を送信することと
を備える、方法。
【請求項２】
前記ロケーションメッセージ情報が、ロケーションメッセージのコンテンツ、または前記ロケーションメッセージのタイプ、またはそれらの組合せのうちの少なくとも１つを備える、請求項１に記載の方法。
【請求項３】
前記ロケーション情報と前記ロケーションメッセージ情報とが同じサブフレーム中で送信される、請求項１に記載の方法。
【請求項４】
システム情報ブロック（ＳＩＢ）、または専用無線リソース制御（ＲＲＣ）シグナリング、またはそれらの組合せのうちの少なくとも１つ中で、少なくとも１つのサブフレームのセットに対する地理的エリアのマッピングを受信することと、
前記車両のロケーションに関連する地理的エリアを識別することと、
前記地理的エリアにマッピングされた少なくとも１つのサブフレームのセット中で送信を監視することと
をさらに備える、請求項１に記載の方法。
【請求項５】
システム情報ブロック（ＳＩＢ）、または専用無線リソース制御（ＲＲＣ）シグナリング、またはそれらの組合せのうちの少なくとも１つ中で、セル無線ネットワーク一時識別子（Ｃ−ＲＮＴＩ）に対する地理的エリアのマッピングを受信することと、
前記車両のロケーションに関連する地理的エリアを識別することと、
前記地理的エリアにマッピングされた少なくとも１つのＣ−ＲＮＴＩに関連する送信を監視することと
をさらに備える、請求項１に記載の方法。
【請求項６】
車両におけるワイヤレス通信のための装置であって、
受信機と、
送信機と、
プロセッサと、
前記プロセッサと電子通信しているメモリと、
前記メモリ中に記憶され、および前記装置に、
アクセス層（ＡＳ）レイヤ上で前記車両から基地局にロケーション情報を送信することと、
前記基地局にロケーションメッセージのためのターゲットブロードキャスト範囲を送信することと、
前記基地局にロケーションメッセージ情報を送信することと
を行わせるように前記プロセッサによって実行可能な命令と
を備える、装置。
【手続補正２】
【補正対象書類名】明細書
【補正対象項目名】０１５８
【補正方法】変更
【補正の内容】
【０１５８】
[00173]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の技法に合致する最も広い範囲を与えられるべきである。
以下に、本願出願の当初の特許請求の範囲に記載された発明を付記する。
［Ｃ１］
第１のセルに関連する第１の基地局におけるワイヤレス通信のための方法であって、  車両からロケーション情報を受信することと、
前記ロケーション情報に少なくとも部分的に基づいて、前記車両に関連するロケーションメッセージをブロードキャストすべき複数のセルを識別することと、前記複数のセルが第２の基地局のセルを含み、ここにおいて、前記ロケーションメッセージが前記ロケーション情報に少なくとも部分的に基づく、
前記ロケーションメッセージの前記ブロードキャストに関して、少なくとも前記第２の基地局と通信することと
を備える、方法。
［Ｃ２］
前記ロケーション情報がアクセス層（ＡＳ）レイヤ上で前記車両から受信される、［Ｃ１］に記載の方法。
［Ｃ３］
前記ロケーションメッセージのためのターゲットブロードキャスト範囲を識別することをさらに備え、
ここにおいて、前記複数のセルが、前記ターゲットブロードキャスト範囲に少なくとも部分的に基づいてさらに識別される、
［Ｃ１］に記載の方法。
［Ｃ４］
前記ターゲットブロードキャスト範囲が、前記ロケーションメッセージのタイプ、または前記車両のタイプ、または前記車両から前記ターゲットブロードキャスト範囲を受信すること、またはそれらの組合せに少なくとも部分的に基づいて識別される、［Ｃ３］に記載の方法。
［Ｃ５］
前記第１のセルに隣接する１つまたは複数のセルのロケーションおよびカバレージエリアを識別すること
をさらに備え、
ここにおいて、前記複数のセルが、前記第１のセルに隣接する前記１つまたは複数のセルのうちの少なくとも１つの前記ロケーションおよびカバレージエリアに少なくとも部分的に基づいてさらに識別される、
［Ｃ１］に記載の方法。
［Ｃ６］
前記車両から、前記ロケーションメッセージのコンテンツ、または前記ロケーションメッセージのタイプ、またはそれらの組合せのうちの少なくとも１つを備える、ロケーションメッセージ情報を受信すること
をさらに備える、［Ｃ１］に記載の方法。
［Ｃ７］
前記車両から前記ロケーションメッセージ情報を受信した後に、所定の数の時間単位の間、前記ロケーションメッセージをブロードキャストすることを控えること
をさらに備える、［Ｃ６］に記載の方法。
［Ｃ８］
少なくとも前記第２の基地局と通信することが、
少なくとも前記第２の基地局に、前記ロケーションメッセージのコンテンツ、または前記ロケーションメッセージのタイプ、または前記ロケーション情報、または前記複数のセルの指示、またはそれらの組合せを送信すること
を備える、［Ｃ１］に記載の方法。
［Ｃ９］
前記ロケーションメッセージが前記複数のセルの各セルからブロードキャストされるのと同じ時間に、単一周波数ネットワーク上で前記ロケーションメッセージをブロードキャストすべき少なくとも１つのサブフレームのセットを識別すること
をさらに備える、［Ｃ１］に記載の方法。
［Ｃ１０］
少なくとも１つのサブフレームの前記セットを識別することが、
前記ロケーション情報に関連する地理的エリアを識別することと、
前記地理的エリアを使用して、少なくとも１つのサブフレームのセットに対する地理的エリアのマッピングをインデックス付けすることと
を備える、［Ｃ９］に記載の方法。
［Ｃ１１］
システム情報ブロック（ＳＩＢ）、または専用無線リソース制御（ＲＲＣ）シグナリング、またはそれらの組合せのうちの少なくとも１つ中で、少なくとも１つのサブフレームのセットに対する地理的エリアの前記マッピングをブロードキャストすること
をさらに備える、［Ｃ１０］に記載の方法。
［Ｃ１２］
前記複数のセルの各セルに知られているメッセージ順序に従って、前記地理的エリア中にある複数の車両に関係する複数のロケーションメッセージをブロードキャストすることをさらに備える、［Ｃ１０］に記載の方法。
［Ｃ１３］
前記メッセージ順序は、前記地理的エリア内の車両ロケーションの順序付け、前記複数のロケーションメッセージのロケーションメッセージが送信のためにキューイングされる時間順序、前記ロケーションメッセージが前記複数の車両から受信される時間順序、またはそれらの組合せに少なくとも部分的に基づく、［Ｃ１２］に記載の方法。
［Ｃ１４］
前記少なくとも１つのサブフレーム中のサブフレームの物理ダウンリンク制御チャネル（ＰＤＣＣＨ）上で前記ロケーションメッセージのためのスケジューリング情報を送信すること、前記スケジューリング情報が、ロケーションメッセージを車両にブロードキャストするために予約されたセル無線ネットワーク一時識別子（Ｃ−ＲＮＴＩ）に関連する、をさらに備える、［Ｃ９］に記載の方法。
［Ｃ１５］
前記サブフレームの前記ＰＤＣＣＨ上で少なくとも１つの非車両データ送信のためのスケジューリング情報を送信すること
をさらに備える、［Ｃ１４］に記載の方法。
［Ｃ１６］
前記ロケーション情報に関連する地理的エリアを識別することと、
前記地理的エリアを使用して、セル無線ネットワーク一時識別子（Ｃ−ＲＮＴＩ）に対する地理的エリアのマッピングをインデックス付けすることと、
サブフレームの物理ダウンリンク制御チャネル（ＰＤＣＣＨ）上で前記ロケーションメッセージのためのスケジューリング情報を送信することと、前記スケジューリング情報が、前記地理的エリアにマッピングされたＣ−ＲＮＴＩに関連する、
をさらに備える、［Ｃ１］に記載の方法。
［Ｃ１７］
システム情報ブロック（ＳＩＢ）、または専用無線リソース制御（ＲＲＣ）シグナリング、またはそれらの組合せのうちの少なくとも１つ中で、Ｃ−ＲＮＴＩに対する地理的エリアの前記マッピングをブロードキャストすること
をさらに備える、［Ｃ１６］に記載の方法。
［Ｃ１８］
車両におけるワイヤレス通信のための方法であって、
アクセス層（ＡＳ）レイヤ上で前記車両から基地局にロケーション情報を送信することと、
前記基地局にロケーションメッセージ情報を送信することと
を備える、方法。
［Ｃ１９］
前記ロケーションメッセージ情報が、ロケーションメッセージのコンテンツ、または前記ロケーションメッセージのタイプ、またはそれらの組合せのうちの少なくとも１つを備える、［Ｃ１８］に記載の方法。
［Ｃ２０］
前記基地局にロケーションメッセージのためのターゲットブロードキャスト範囲を送信すること
をさらに備える、［Ｃ１８］に記載の方法。
［Ｃ２１］
前記ロケーション情報と前記ロケーションメッセージ情報とが同じサブフレーム中で送信される、［Ｃ１８］に記載の方法。
［Ｃ２２］
システム情報ブロック（ＳＩＢ）、または専用無線リソース制御（ＲＲＣ）シグナリング、またはそれらの組合せのうちの少なくとも１つ中で、少なくとも１つのサブフレームのセットに対する地理的エリアのマッピングを受信することと、
前記車両のロケーションに関連する地理的エリアを識別することと、
前記地理的エリアにマッピングされた少なくとも１つのサブフレームのセット中で送信を監視することと
をさらに備える、［Ｃ１８］に記載の方法。
［Ｃ２３］
システム情報ブロック（ＳＩＢ）、または専用無線リソース制御（ＲＲＣ）シグナリング、またはそれらの組合せのうちの少なくとも１つ中で、セル無線ネットワーク一時識別子（Ｃ−ＲＮＴＩ）に対する地理的エリアのマッピングを受信することと、
前記車両のロケーションに関連する地理的エリアを識別することと、
前記地理的エリアにマッピングされた少なくとも１つのＣ−ＲＮＴＩに関連する送信を監視することと
をさらに備える、［Ｃ１８］に記載の方法。
［Ｃ２４］
第１のセルに関連する第１の基地局におけるワイヤレス通信のための装置であって、  車両からロケーション情報を受信するための手段と、
前記ロケーション情報に少なくとも部分的に基づいて、前記車両に関連するロケーションメッセージをブロードキャストすべき複数のセルを識別するための手段と、前記複数のセルが第２の基地局のセルを含み、ここにおいて、前記ロケーションメッセージが前記ロケーション情報に少なくとも部分的に基づく、
前記ロケーションメッセージの前記ブロードキャストに関して、少なくとも前記第２の基地局と通信するための手段と
を備える、装置。
［Ｃ２５］
前記ロケーション情報がアクセス層（ＡＳ）レイヤ上で前記車両から受信される、［Ｃ２４］に記載の装置。
［Ｃ２６］
前記ロケーションメッセージのためのターゲットブロードキャスト範囲を識別するための手段
をさらに備え、
ここにおいて、前記複数のセルが、前記ターゲットブロードキャスト範囲に少なくとも部分的に基づいてさらに識別される、
［Ｃ２４］に記載の装置。
［Ｃ２７］
前記ターゲットブロードキャスト範囲が、前記ロケーションメッセージのタイプ、または前記車両のタイプ、または前記車両から前記ターゲットブロードキャスト範囲を受信すること、またはそれらの組合せに少なくとも部分的に基づいて識別される、［Ｃ２６］に記載の装置。
［Ｃ２８］
前記第１のセルに隣接する１つまたは複数のセルのロケーションおよびカバレージエリアを識別するための手段
をさらに備え、
ここにおいて、前記複数のセルが、前記第１のセルに隣接する前記１つまたは複数のセルのうちの少なくとも１つの前記ロケーションおよびカバレージエリアに少なくとも部分的に基づいてさらに識別される、
［Ｃ２４］に記載の装置。
［Ｃ２９］
前記車両から、前記ロケーションメッセージのコンテンツ、または前記ロケーションメッセージのタイプ、またはそれらの組合せのうちの少なくとも１つを備える、ロケーションメッセージ情報を受信するための手段
をさらに備える、［Ｃ２４］に記載の装置。
［Ｃ３０］
車両におけるワイヤレス通信のための装置であって、
アクセス層（ＡＳ）レイヤ上で前記車両から基地局にロケーション情報を送信するための手段と、
前記基地局にロケーションメッセージ情報を送信するための手段と
を備える、装置。
【外国語明細書】
2020010351000001.pdf